(57)【要約】ユーザ機器（ＵＥ）のグループについて構成されたグラントのために使用されるリソース、例えば時間及び周波数リソースの集合がＵＥの第２グループにシグナリングされる。ＵＥの第２グループは、予約されるリソースのシグナリングされた集合を考慮し、リソースの集合がそうするようにスケジュールされている場合であっても、リソースの集合で何かを送信することを回避する。
2022502900.tif 000002
【特許請求の範囲】
【請求項１】
第１ワイヤレス・デバイスによって実行される方法であって、
ネットワーク・ノードによって送信された集約アップリンク情報を受信することであって、前記集約アップリンク情報は、前記ワイヤレス・デバイスが予約リソースとして扱うべき少なくとも１つのアップリンク・リソースのインジケーションを含む、ことと、
前記集約アップリンク情報に基づいてアップリンク送信を構成することと、を有する、方法。
【請求項２】
請求項１に記載の方法であって、前記集約アップリンク情報に基づいて前記アップリンク送信を構成することは、前記アップリンク送信について、アップリンク・リソースの集合を利用することを含み、アップリンク・リソースの前記集合は、前記集約アップリンク情報によって示される前記アップリンク・リソースを含まない、方法。
【請求項３】
請求項１又は２に記載の方法であって、前記集約アップリンク情報に基づいて前記アップリンク送信を構成することは、
前記予約アップリンク・リソースを利用するようにスケジュールされた前記アップリンク送信の部分を識別することと、
前記アップリンク送信の前記識別された部分を削除することと、を含む、方法。
【請求項４】
請求項１に記載の方法であって、
前記集約アップリンク情報は、アップリンク・リソースの集合のインジケーションを含み、
前記第１ワイヤレス・デバイスに割り当てられるアップリンク・リソースの前記集合に含まれるアップリンク・リソースを識別することと、
前記アップリンク送信について、１）前記識別されたアップリンク・リソース、及び／又は２）アップリンク・リソースの前記集合に含まれないアップリンク・リソース、を利用すること、の方法。
【請求項５】
請求項１乃至４のいずれか１項に記載の方法であって、前記集約アップリンク情報は、第２ワイヤレス・デバイスについての第１アップリンク構成と、第３ワイヤレス・デバイスについての第２アップリンク構成と、を含む、方法。
【請求項６】
請求項１乃至５のいずれか１項に記載の方法であって、前記集約アップリンク情報は、所定の基準に従ってソートされた２つ以上のワイヤレス・デバイスについてのアップリンク構成を含む、方法。
【請求項７】
請求項５又は６に記載の方法であって、前記２つ以上のワイヤレス・デバイスのそれぞれは、ＵＲＬＬＣ送信可能である、方法。
【請求項８】
請求項１乃至７のいずれか１項に記載の方法であって、前記予約アップリンク・リソースは、ＵＲＬＬＣ送信のために予約される、方法。
【請求項９】
第１ワイヤレス・デバイスによって実行される方法であって、
ネットワーク・ノードへアップリンク構成を送信することであって、前記アップリンク構成は、第２ワイヤレス・デバイスからの第２アップリンク構成とともに集約情報に集約されるためのものである、ことを有する、方法。
【請求項１０】
請求項１乃至９のいずれか１項に記載の方法であって、前記集約情報は、少なくとも第１のアップリンク構成されたグラント構成と第２の第１のアップリンク構成されたグラント構成とに基づいて前記ネットワーク・ノードによって生成された集約アップリンク構成されたグラント構成である、方法。
【請求項１１】
基地局によって実行される方法であって、
第１ユーザ機器（ＵＥ）についての第１アップリンク構成と、第２ＵＥについての第２アップリンク構成と、を取得することと、
集約アップリンク構成を形成するために、前記第１アップリンク構成及び第２アップリンク構成を集約することと、
前記集約アップリンク構成を送信することであって、前記集約アップリンク構成は、前記第１ＵＥ及び／又は前記第２ＵＥに割り当てられた少なくとも１つのアップリンク・リソースのインジケーションを含む、ことと、を有する、方法。
【請求項１２】
請求項１１に記載の方法であって、前記第１アップリンク構成及び前記第２アップリンク構成を集約することは、
前記第１アップリンク構成及び前記第２アップリンク構成を含むメッセージを生成することを含む、方法。
【請求項１３】
請求項１１又は１２に記載の方法であって、前記第１アップリンク構成及び前記第２アップリンク構成のそれぞれは、周期性、構成された反復の数、時間領域リソース割り当て、及び／又は周波数領域リソース割り当てを示す１つ以上のパラメータを含む、方法。
【請求項１４】
請求項１１乃至１３のいずれか１項に記載の方法であって、前記第１アップリンク構成及び前記第２アップリンク構成を集約することは、
所定の基準に従って、前記第１アップリンク構成及び前記第２アップリンク構成をソートし、それによって、１つ以上の集約アップリンク構成を形成することを含む、方法。
【請求項１５】
請求項１４に記載の方法であって、前記１つ以上の集約アップリンク構成は、周期性、構成された反復の数、時間領域リソース割り当て、及び／又は周波数領域リソース割り当てを示す１つ以上のパラメータを含む、方法。
【請求項１６】
請求項１１乃至１５のいずれか１項に記載の方法であって、前記集約アップリンク構成を送信することは、
前記ネットワーク・ノードによってサービスされるセル内で前記集約アップリンク構成をブロードキャストすること、ＵＥのグループへ前記集約アップリンク構成をマルチキャストすること、及び／又は個別のＵＥへ前記集約アップリンク構成を送信することを含む、方法。
【請求項１７】
請求項１１乃至１６のいずれか１項に記載の方法であって、前記予約リソースは、超高信頼低遅延通信送信のために予約される、方法。
【請求項１８】
請求項１１乃至１７のいずれか１項に記載の方法であって、前記第１及び第２ＵＥのそれぞれは、ＵＲＬＬＣ送信可能である、方法。
【請求項１９】
処理回路によって実行されると、前記処理回路に請求項１乃至１８のいずれか１項に記載の方法を実行させる命令を含むコンピュータ・プログラム。
【請求項２０】
請求項１９に記載のコンピュータ・プログラムを含むキャリアであって、前記キャリアは、電気信号、光信号、無線信号、及びコンピュータ可読記憶媒体のうちの１つである、キャリア。
【請求項２１】
第１ワイヤレス・デバイスであって、前記第１ワイヤレス・デバイスは、
ネットワーク・ノードによって送信された集約アップリンク情報を受信することであって、前記集約アップリンク情報は、前記ワイヤレス・デバイスが予約リソースとして扱うべき少なくとも１つのアップリンク・リソースのインジケーションを含む、ことと、
前記集約アップリンク情報に基づいてアップリンク送信を構成することと、を行うように構成される、第１ワイヤレス・デバイス。
【請求項２２】
基地局であって、前記基地局は、
第１ユーザ機器（ＵＥ）についての第１アップリンク構成と、第２ＵＥについての第２アップリンク構成と、を取得することと、
集約アップリンク構成を形成するために、前記第１アップリンク構成及び第２アップリンク構成を集約することと、
前記集約アップリンク構成を送信することであって、前記集約アップリンク構成は、前記第１ＵＥ及び／又は前記第２ＵＥに割り当てられた少なくとも１つのアップリンク・リソースのインジケーションを含む、ことと、を行うように構成される、基地局。
【発明の詳細な説明】
【技術分野】
【０００１】
この開示は、あるトラフィックのために予約された予約リソースをシグナリングすることに関する。
【背景技術】
【０００２】
ＵＬグラント・フリー送信のＲＲＣ構成
【０００３】
３ＧＰＰ  ＴＳ  ３８．３３１  Ｖ１５．１．０（“ＴＳ  ３８．３３１”）では、ＵＬグラント・フリー送信のための構成が情報要素（ＩＥ）ＣｏｎｆｉｇｕｒｅｄＧｒａｎｔＣｏｎｆｉｇによって規定される。
【０００４】
ＩＥ  ＣｏｎｆｉｇｕｒｅｄＧｒａｎｔＣｏｎｆｉｇは、２つの取り得るスキームに従って動的グラントなしでアップリンク送信を構成するために使用される。実際のアップリンク・グラントは、ＲＲＣ（タイプ１）を介して構成されてもよいし、（ＣＳ−ＲＮＴＩ宛ての）ＰＤＣＣＨ（タイプ２）を介して提供されてもよい。
【０００５】
以下の表１は、例示的なＣｏｎｆｉｇｕｒｅｄＧｒａｎｔＣｏｎｆｉｇ情報要素を示す。
【表１】
2022502900.tif 000003
【０００６】
ＣｏｎｆｉｇｕｒｅｄＧｒａｎｔＣｏｎｆｉｇ情報要素のフィールドの説明を以下の表２に列挙する。
【表２】
2022502900.tif 000004
2022502900.tif 000005
【０００７】
ＤＬプリエンプションのＲＲＣ設定
【０００８】
ＴＳ  ３８．３３１  Ｖ１５．１．０では、ダウンリンク・プリエンプションについてＩＥ  ＤｏｗｎｌｉｎｋＰｒｅｅｍｐｔｉｏｎが規定される。
【０００９】
以下の表３は、例示的なＤｏｗｎｌｉｎｋＰｒｅｅｍｐｔｉｏｎ情報要素の説明を示す。
【表３】
2022502900.tif 000006
【００１０】
ＤｏｗｎｌｉｎｋＰｒｅｅｍｐｔｉｏｎ情報要素のフィールドの説明が、以下の表４に列挙される。
【表４】
2022502900.tif 000007
【００１１】
ある典型的なＵＲＬＬＣシナリオのトラフィック・パターン
【００１２】
あるＵＲＬＬＣシナリオでは、ＵＬトラフィック・パターンが周期的であり、所定の到着間隔を有する決定論的である。これは、輸送産業、配電、及び工場自動化のような優先順位付けされたＵＲＬＬＣシナリオを含む。
【００１３】
トランスポート・ブロック・サイズの決定
【００１４】
３８．２１４のセクション６．１．４．２において、ＰＵＳＣＨ送信のためのトランスポート・ブロック・サイズを決定する１つのステップは、送信のために利用可能なＲＥの数の近似を以下のように決定することである：ＵＥがＰＵＳＣＨのために割り当てられたＲＥの総数（ＮＲＥ）を、ＮＲＥ＝ｍｉｎ（１５６，Ｎ´ＲＥ）・ＮＰＲＢによって決定する。ここで、ｎＰＲＢは、ＵＥのために割り当てられたＰＲＢの総数である。そして、この数は、トランスポート・ブロック・サイズを決定するために使用される。
【発明の概要】
【００１５】
現在、ある課題が存在する。Ｒｅｌ‐１５における現在の設計は、アップリンク・トラフィックが散発的であり、予測不可能であると仮定している。ＵＬ送信が周期的かつ決定論的であるトラフィック・タイプを考慮に入れた設計は存在しない。
【００１６】
本開示及びこれらの実施形態のある側面は、これらの課題又は他の課題に対する解決策を提供しうる。ある側面では、ＵＥのグループについて構成されたグラントのために使用されるリソース、例えば時間及び周波数リソースの集合がＵＥの第２グループにシグナリングされる。ＵＥの第２グループは、予約されたリソースのシグナリングされた集合を考慮し、リソースの集合がそうするようにスケジュールされている場合であっても、リソースの集合で何かを送信することを回避する。
【００１７】
本書で開示される問題のうちの１つ以上に対処する様々な実施形態が本書で提案される。
【００１８】
ある側面では、いくつかの実施形態に従って、ワイヤレス・デバイスによって実行される方法が提供される。方法は、ワイヤレス・デバイスが、ネットワーク・ノードによって送信された集約アップリンク（ＵＬ）情報を受信するステップを含み、オプションとして、集約ＵＬ情報は、集約周波数領域リソース及び集約時間領域リソースのインジケーションを有する。方法は、ワイヤレス・デバイスが集約ＵＬ情報に基づいてＵＬ送信を構成するステップを含む。
【００１９】
いくつかの実施形態では、集約ＵＬ情報に基づいてＵＬ送信を構成するステップは、ＵＬ送信のために、集約周波数領域リソース及び集約時間領域リソース以外の周波数及び時間領域リソースを利用することを含む。
【００２０】
いくつかの実施形態では、集約ＵＬ情報に基づいてＵＬ送信を構成するステップは、集約周波数及び時間領域リソースに重複する周波数及び時間領域リソースを利用するようにスケジュールされたＵＬ送信の部分を識別することと、ＵＬ送信の識別された部分を除去することと、を含む。
【００２１】
いくつかの実施形態では、集約ＵＬ情報に基づいてＵＬ送信を構成するステップは、ＵＥに割り当てられた集約周波数及び時間領域リソースの部分を識別することと、ＵＬ送信のために、（１）集約周波数及び時間領域リソースの識別された部分、及び／又は（２）集約周波数及び時間領域リソース以外の周波数及び時間領域リソース、を利用することと、を含む。
【００２２】
いくつかの実施形態では、集約ＵＬ情報は、２つ以上のＵＥについてのＵＬ構成のリストを含む。いくつかの実施形態では、集約ＵＬ情報は、所定の基準に従ってソートされた、２つ以上のＵＥについてのＵＬ構成を含む。いくつかの実施形態では、２つ以上のＵＥのそれぞれは、ＵＲＬＬＣ送信可能である。いくつかの実施形態では、集約周波数及び時間領域リソースは、ＵＲＬＬＣ送信のために予約される。
【００２３】
別の側面では、いくつかの実施形態に従ってワイヤレス・デバイスによって実行される方法が提供される。方法は、ワイヤレス・デバイスがアップリンク（ＵＬ）構成をネットワーク・ノードへ送信するステップを含み、アップリンク構成は、第２ＵＥからの第２ＵＬ構成とともに集約情報に集約されるためのものである。
【００２４】
別の側面では、いくつかの実施形態にしたがって、ネットワーク・ノードによって実行される方法が提供される。方法は、ネットワーク・ノードが第１ユーザ装置（ＵＥ）についての第１アップリンク（ＵＬ）構成及び第２ＵＥについての第２ＵＬ構成を取得するステップを含む。方法は、ネットワーク・ノードが集約情報を形成するために第１ＵＬ及び第２ＵＬ構成を集約するステップを含む。方法は、ネットワーク・ノードが集約情報を送信するステップを含み、オプションとして、集約情報は、集約周波数領域リソース及び集約時間領域リソースのインジケーションを含む。
【００２５】
いくつかの実施形態では、第１ＵＬ構成及び第２ＵＬ構成を集約するステップは、第１ＵＬ構成及び第２ＵＬ構成をリストすることを含む。いくつかの実施形態では、第１及び第２ＵＬ構成のそれぞれは、周期性、構成された反復の数、時間領域リソース割り当て、及び周波数領域リソース割り当てのうちの１つ以上をオプションで含みうる１つ以上のパラメータを含む。
【００２６】
いくつかの実施形態では、第１ＵＬ構成及び第２ＵＬ構成を集約するステップは、所定の基準に従って第１ＵＬ構成及び第２ＵＬ構成をソートし、それによって、１つ以上の集約ＵＬ構成を形成することを含む。いくつかの実施形態では、１つ以上の集約ＵＬ構成は、周期性、構成された反復の数、時間領域リソース割り当て、及び周波数領域リソース割り当てのうちの１つ以上をオプションで含みうる１つ以上のパラメータを含む。
【００２７】
いくつかの実施形態では、集約情報を送信するステップは、ネットワーク・ノードによって提供されるセルへ集約情報をブロードキャストすることと、ＵＥのグループへ集約情報をマルチキャストすることと、個別のＵＥへ集約情報を送信することと、のうちの少なくとも１つを含む。
【００２８】
いくつかの実施形態では、集約周波数及び時間領域リソースは、超高信頼低遅延通信（ＵＲＬＬＣ）送信のために予約される。いくつかの実施形態では、第１及び第２ＵＥのそれぞれは、ＵＲＬＬＣ送信可能である。
【００２９】
ある実施形態は、以下の技術的利点のうちの１つ以上を提供しうる。本書で開示される実施形態は、ＵＬ  ＵＲＬＬＣトラフィック及び発展型モバイル・ブロードバンド（ｅＭＢＢ）トラフィックの効率的な多重化を可能にする。
【図面の簡単な説明】
【００３０】
【図１】３つの例示的なＵＥの予測可能なＵＬ  ＧＦ構成の説明を示す。
【００３１】
【図２】３つの例示的なＵＥの予測可能なＵＬ  ＧＦ構成が集約される説明を示す。
【００３２】
【図３】予測可能なＵＬ  ＧＦ構成に従って特定のＵＥのｅＭＢＢトラフィックが予約リソースを回避することを示す。
【００３３】
【図４】予測可能なＵＬ  ＧＦ構成に従って特定のＵＥのｅＭＢＢトラフィックが予約リソースを回避することを示す。
【００３４】
【図５】ＵＥが予約リソース上で任意のＵＬ送信を送信することを控える例を説明する。
【００３５】
【図６】ＵＥが予約リソース上で任意のＵＬ送信を送信することを控える例を説明する。
【００３６】
【図７】ＵＥが予測可能なＵＬ  ＧＦ構成のシグナリングされた集合から自身の予測可能なリソースを識別する例を説明する。
【００３７】
【図８】ＵＥが予測可能なＵＬ  ＧＦ構成のシグナリングされた集合から自身の予測可能なリソースを識別する例を説明する。
【００３８】
【図９】例示のネットワークを説明する。
【００３９】
【図１０】一実施形態によるＵＥを説明する。
【００４０】
【図１１】仮想化環境を説明する概略ブロック図である。
【００４１】
【図１２】通信システムを説明する。
【００４２】
【図１３】ＵＥ及び基地局の例示の実装を説明する。
【００４３】
【図１４】、
【図１５】、
【図１６】、
【図１７】、
【図１８】、
【図１９】、
【図２０】様々な実施形態による異なるプロセスを説明するフローチャートである。
【００４４】
【図２１】装置の概略ブロック図を説明する。
【００４５】
【図２２】装置の概略ブロック図を説明する。
【００４６】
【図２３】装置の概略ブロック図を説明する。
【発明を実施するための形態】
【００４７】
一般に、本書で使用されるすべての用語は、異なる意味が明確に与えられ及び／又はそれが使用される文脈から暗示されない限り、関連する技術分野におけるそれらの通常の意味に従って解釈されるべきである。ａ／ａｎ／ｔｈｅが付いた要素、装置、コンポーネント、手段、ステップなどへの言及はすべて、特に別段に明記しない限り、要素、装置、コンポーネント、手段、ステップなどの少なくとも１つのインスタンスを指すものとして開放的に解釈されるべきである。本書に開示される任意の方法のステップは、ステップが別のステップの後又は前として明示的に記載されていない限り、及び／又はステップが別のステップの後又は前になければならないことが暗黙的である場合でない限り、開示される正確な順序で実行される必要はない。本書に開示される実施形態のいずれかの任意の特徴は、適切な場合には任意の他の実施形態に適用されてもよい。同様に、任意の実施形態の任意の利点は任意の他の実施形態に当てはまってもよく、その逆も同様である。添付の実施形態の他の目的、特徴、及び利点は、以下の説明から明らかになるだろう。
【００４８】
ここで、本書で企図される実施形態のいくつかが、添付の図面を参照してより完全に説明される。しかしながら、本書に開示された主題の範囲内に他の実施形態が含まれ、開示された主題は本書に記載された実施形態のみに限定されると解釈されるべきではなく、むしろ、これらの実施形態は主題の範囲を当業者に伝えるために例として提供される。
【００４９】
いくつかの実施形態では、ネットワーク・ノード（例えば、ｇＮＢ）は、２つ以上のＵＥからＵＬ構成を収集する。このような実施形態では、ＵＥのそれぞれは、ＵＬ構成されたグラント構成をネットワーク・ノードへ送信する。ネットワーク・ノードは、収集されたＵＬグラント構成を集約して集約情報を形成し、その後、この集約情報を１つ以上のＵＥへ送信する。ある実施形態では、ネットワーク・ノードは、ネットワーク・ノードによって提供されるセルへ集約情報をブロードキャストし、ＵＥのグループへ集約情報をマルチキャストし、及び／又は個別のＵＥへ集約情報を送信する。
【００５０】
集約情報の送信は、ＵＬ構成されたグラント構成がサイクリックＵＬトラフィック・パターンについて規定される場合に特に有用でありうる。例えば、３つの例示的なＵＥ、すなわちＵＥ‐ａ、ＵＥ‐ｂ、及びＵＥ‐ｃはそれぞれ、ＵＲＬＬＣのサイクリック・トラフィック・パターンをサポートするために、ＵＬ構成されたグラント構成を用いて構成される。ネットワーク・ノードは、ＵＥ‐ａ、ＵＥ‐ｂ、及びＵＥ‐ｃについてのＵＬ構成されたグラント構成を収集及び集約して集約情報を形成し、集約情報を例示的なＵＥ、すなわちＵＥ‐ｘ及びＵＥ‐ｙへ送信する。ＵＥ‐ｘ及びＵＥ‐ｙは、受信された集約情報に基づいてＵＬ送信を構築しうる。
【００５１】
予測可能なＵＬ構成されたグラント構成のシグナリング方法
【００５２】
例として、限定として解釈されるべきではないが、予測可能なＵＬ構成されたグラント構成（予測可能なＵＬグラント・フリー（ＧＦ）構成とも呼ばれる）を含む集約情報をシグナリングするために、ネットワーク・ノードによって２つの方法が使用されうる。
【００５３】
第１方法（以下、方法Ａと呼ぶ）では、ネットワーク・ノード、例えばｇＮＢは、ＵＬ  ＧＦ構成のリストを含む集約情報をシグナリングする。
【００５４】
方法Ａでは、予測可能なＵＬ  ＧＦ構成のリストは、各帯域幅部分（ＢＷＰ）について構成されたＲＲＣである。予測可能なＵＬ  ＧＦ構成のそれぞれは、１つ以上の周期性（Ｐ）、構成された反復の数（Ｋ）、時間領域リソース割り当て、及び周波数領域リソース割り当てを含んでもよい１つ以上のパラメータを含む。
【００５５】
いくつかの実施形態では、１つ以上のパラメータが存在しなくてもよく、この場合、存在しないパラメータについてデフォルト値が仮定されてもよい。
【００５６】
図１は、一実施形態による、３つの例示のＵＥ、すなわちＵＥ‐ａ、ＵＥ‐ｂ、ＵＥ‐ｃの予測可能なＵＬ  ＧＦ構成の説明を示す。図１に説明される例のＲＲＣ構成の例示的な実施形態が以下の表５に示される。
【表５】
2022502900.tif 000008
【００５７】
第２方法（以下、方法Ｂと呼ぶ）では、ネットワーク・ノードは、集約されたＵＬ  ＧＦ構成を含む集約情報をシグナリングする。
【００５８】
方法Ｂでは、所定の基準に従って、予測可能なＵＬ  ＧＦ構成の合計が１つの時間‐周波数構成にソートされる。図２は、いくつかの実施形態による、３つの例示のＵＥ、すなわちＵＥ‐ａ、ＵＥ‐ｂ、ＵＥ‐ｃの予測可能なＵＬ  ＧＦ構成が集約構成Ａ及び集約構成Ｂに集約される説明を示す。いくつかの実施形態では、ネットワーク・ノードは、以下の表６に示すような集約構成Ａ及び集約構成ＢのＲＲＣ構成をシグナリングする。
【表６】
2022502900.tif 000009
【００５９】
シグナリングされたＵＬ構成されたグラント構成の使用
【００６０】
単純化のために、例として、限定として解釈されるべきではないが、ｅＭＢＢ  ＵＥは、ＵＬ送信がより高い優先度のＵＬＲＲＣ送信によって中断されうるＵＥを表すために使用される。いくつかの実施形態では、他のタイプのＵＥ（例えば、マシン・タイプ通信（ＭＴＣ）ＵＥ）は、中断されたＵＬ送信を有するＵＥであってもよい。
【００６１】
１つの実施形態では、ｅＭＢＢ  ＵＥは、受信された予測可能なＵＬ  ＧＦ構成を利用して、任意のＵＲＬＬＣ  ＵＥのＵＬ送信と重複しうる任意のＵＬ送信を回避しうる。ｅＭＢＢ  ＵＥは、受信された予測可能なＵＬ  ＧＦ構成のリソースを、ｅＭＢＢ  ＵＥの観点から予約リソースとみなしうる。よって、ｅＭＢＢ  ＵＥは、受信された予測可能なＵＬ  ＧＦ構成において示される予約リソース上で、任意のチャネル又は信号を送信することを回避する。
【００６２】
予約リソース上での送信を回避しながらｅＭＢＢ信号を構築する方法は、これに限定されないが、以下を含む：
（ａ）予約リソースに重複するスケジュールされたｅＭＢＢ送信をパンクチャリングする。
ｅＭＢＢ  ＵＥは、まず、予約リソースが存在しないと仮定して、ｅＭＢＢ信号のシーケンスを構築しうる。その後、ｅＭＢＢ  ＵＥがｅＭＭＢ信号を時間‐周波数リソースにマッピングする場合に、ｅＭＢＢ  ＵＥは単に、構成されたｅＭＢＢ信号のシーケンスのうち、予約リソースと重複する部分をドロップする。
（ｂ）予約リソースの周りでレートが一致する。
ｅＭＢＢ  ＵＥは、ｅＭＢＢ信号のシーケンスを構築する際に、予約リソースの量を考慮する。ｅＭＢＢ  ＵＥがｅＭＭＢ信号を時間‐周波数リソースにマッピングする場合に、予約リソースは回避され、ｅＭＢＢ信号は非予約リソースにマッピングされる。ｅＭＢＢ  ＵＥがレート一致方式を使用する場合に、リソース・マッピング・ステップでドロップは必要ない。
【００６３】
ｅＭＢＢ  ＵＥによる非予約リソースの使用に関して、例として、限定として解釈されるべきではないが、２つの代替方法が以下に示される。
【００６４】
１つの例では、ｅＭＢＢ  ＵＥは、予約リソースの一部であるスロット又はミニスロット中にＵＬ送信でスケジュールされうる。したがって、ｅＭＢＢ  ＵＥは、自身のＵＬ信号／チャネルを、このような予約リソースの周りにマッピングする。予約リソースの周りに自身のＵＬ信号／チャネルをｅＭＢＢ  ＵＥがマッピングする例が図３及び図４に示され、ここで、ＵＥ‐ｘはｅＭＢＢ  ＵＥである。図３は、ＵＥ‐ｘのｅＭＢＢトラフィックがＵＥ‐ａ、ＵＥ‐ｂ、及びＵＥ‐ｃの予測可能なＵＬ  ＧＦ構成に従って予約リソースを回避することを示す。図２は、ＵＥ‐ｘのｅＭＢＢトラフィックが図２及び表６を参照して示され、説明されるような集約構成Ａ及びＢに従って、予約リソースを回避することを示す。
【００６５】
別の例として、ｅＭＢＢ  ＵＥは、予約リソースの一部であるミニスロット又はＯＦＤＭシンボル中に、任意のＵＬ構成されたグラント送信を送信することを控えうる。予約リソース上で任意のＵＬ送信を送信することをｅＭＢＢ  ＵＥが控える例が図５及び図６に説明され、ここで、ＵＥ−ｘはｅＭＢＢ  ＵＥである。図５は、ＵＥ−ｘのｅＭＢＢトラフィックが、ＵＥ−ａ、ＵＥ−ｂ、及びＵＥ−ｃの予測可能なＵＬ  ＧＦ構成に従って、予約リソース内のＯＦＤＭシンボルを回避することを示す。図６は、ＵＥ‐ｘのｅＭＢＢトラフィックが図２及び表６を参照して示され説明されるような集約構成Ａ及びＢに従って、予約リソース内のＯＦＤＭシンボルを回避することを示す。
【００６６】
自身の構成の識別
【００６７】
いくつかの実施形態では、ＵＥ、例えばＵＲＬＬＣ  ＵＥは、自身の割り当てられた予約リソースを含む構成されたグラント構成を含む集約情報をシグナリングされる。このような実施形態では、ＵＥは、受信された構成されたグラント構成によって示される予約リソースと重複する、割り当てられた予約リソースを識別する。ＵＥは、識別された重複するリソース上で送信してもよいが、重複がない、受信された構成されたグラント構成によって示される予約リソース上での送信を回避する。
【００６８】
いくつかの実施形態では、ＵＥは、送信を回避するリソースを決定する前に、受信された構成されたグラント構成によって示されるシグナリングされたリソースの集合から、自身に割り当てられた予約リソースを削除する。
【００６９】
図７及び図８に例が示され、ここで、ＵＥ‐ｃは、予測可能なＵＬ  ＧＦ構成のシグナリングされた集合から、自身の予測可能なリソースを識別する。図７は、ＵＥ‐ｃがＵＥ‐ａ及びＵＥ‐ｂのための予約リソースを回避するが、ＵＥ‐ｃは、ＵＬ送信のために自身の割り当てられた予約リソースを依然として使用することを示す。図８は、ＵＥ‐ｃが図２及び表６を参照して示され説明されるような集約構成Ａ及びＢに従って、ＵＥ‐ａ及びＵＥ‐ｂのための予約リソースを回避するが、ＵＥ‐ｃは、ＵＬ送信のために自身の割り当てられた予約リソースを依然として使用することを示す。
【００７０】
変更された送信のためのトランスポート・ブロック・サイズの決定
【００７１】
ある実施形態では、ＵＥ、例えばｅＭＢＢ  ＵＥは、トランスポート・ブロック・サイズを決定するために使用されるＰＵＳＣＨに割り当てられたリソース要素の数ＮＲＥから、送信を回避するリソース要素の数を除く。いくつかの実施形態において、ＮＲＥは、以下のように決定される：
【００７２】
ＮＲＥ＝ｍｉｎ（１５６，Ｎ´ＲＥ）＊ｎＰＲＢ−ＮＲＥ，ｒｅｓｅｒｖｅｄ，ここで、ＮＲＥ，ｒｅｓｅｒｖｅｄは、ＵＥが送信を回避するＲＥの数、又はＵＥが送信を回避するＲＥの数の近似と等しい。
【００７３】
本書で説明される主題は任意の好適なコンポーネントを使用して任意の適切なタイプのシステムで実施できるが、本書で開示される実施形態は図９に説明される例示的なワイヤレス・ネットワークのようなワイヤレス・ネットワークに関連して説明される。簡潔にするために、図９のワイヤレス・ネットワークは、ネットワーク９０６、ネットワーク・ノード９６０及び９６０ｂ、並びにＷＤ９１０、９１０ｂ、及び９１０ｃのみを示す。実際には、ワイヤレス・ネットワークは、ワイヤレス・デバイス間の通信や、ワイヤレス・デバイスと、別の通信デバイス、例えば、固定電話、サービス・プロバイダ、又は任意の他のネットワーク・ノード又はエンド・デバイスとの間の通信をサポートするのに適した任意の追加要素をさらに含みうる。図示されたコンポーネントのうち、ネットワーク・ノード９６０及びワイヤレス・デバイス（ＷＤ）９１０が、さらなる詳細とともに示されている。ワイヤレス・ネットワークは、ワイヤレス・ネットワークによって、又はワイヤレス・ネットワークを介して提供されるサービスへのワイヤレス・デバイスのアクセス及び／又はサービスの使用を容易にするために、１つ以上のワイヤレス・デバイスに通信及び他のタイプのサービスを提供できる。
【００７４】
ワイヤレス・ネットワークは、任意のタイプの通信、電気通信、データ、セルラ、及び／又は無線ネットワーク、あるいは他の同様のタイプのシステムを備えるか、これらとやり取りできる。いくつかの実施形態で、ワイヤレス・ネットワークは、特定の標準又は他のタイプの事前規定されたルール又は手順に従って動作するように構成されうる。よって、ワイヤレス・ネットワークの特定の実施形態は、グローバル・システム・フォー・モバイル・コミュニエｋ−ション（ＧＳＭ）、ユニバーサル・モバイル・テレコミュニケーション・システム（ＵＭＴＳ）、ロング・ターム・エボリューション（ＬＴＥ）、及び／又は他の適切な２Ｇ、３Ｇ、４Ｇ、又は５Ｇ標準、ＩＥＥＥ８０２．１１標準などのワイヤレス・ローカル・エリア・ネットワーク（ＷＬＡＮ）標準、及び／又はワールドワイド・インタオペラビリティ・フォー・マイクロ波アクセス（ＷｉＭａｘ）、ブルートゥース、Ｚウェーブ、及び／又はＺｉｇＢｅｅ標準のような通信標準を実施しうる。
【００７５】
ネットワーク９０６は、１つ以上のバックホール・ネットワーク、コア・ネットワーク、ＩＰネットワーク、公衆交換電話網（ＰＴＳＮ）、パケット・データ・ネットワーク、光ネットワーク、ワイド・エリア・ネットワーク（ＷＡＮ）、ローカル・エリア・ネットワーク（ＬＡＮ）、ワイヤレス・ローカル・エリア・ネットワーク（ＷＬＡＮ）、有線ネットワーク、ワイヤレス・ネットワーク、メトロポリタン・エリア・ネットワーク、及びデバイス間の通信を可能にする他のネットワークを含みうる。
【００７６】
ネットワーク・ノード９６０及びＷＤ９１０は、以下でより詳細に説明する様々なコンポーネントを備える。これらのコンポーネントは、ワイヤレス・ネットワークでワイヤレス接続を提供するなど、ネットワーク・ノード及び／又はワイヤレス・デバイス機能を提供するために連携する。様々な実施形態で、ワイヤレス・ネットワークは、任意の数の有線又はワイヤレス・ネットワーク、ネットワーク・ノード、基地局、コントローラ、ワイヤレス・デバイス、中継局、及び／又は有線接続を介するか又はワイヤレス接続を介するかにかかわらず、データ及び／又は信号の通信を容易にするか又は参加できる任意の他のコンポーネント又はシステムを備えることができる。
【００７７】
本書で使用されるように、ネットワーク・ノードは、ワイヤレス・デバイスと直接的又は間接的に通信し、及び／又はワイヤレス・ネットワーク内の他のネットワーク・ノード又は機器と通信して、ワイヤレス・デバイスへのワイアレス・アクセスを可能にし及び／又は提供し、及び／又はワイヤレス・ネットワーク内の他の機能（例えば、管理）を実行することが可能か、このように構成され、配置され、及び／又は動作可能な機器を指す。ネットワーク・ノードの例は、アクセス・ポイント（ＡＰ）（例えば、無線アクセス・ポイント）、基地局（ＢＳ）（例えば、無線基地局、ノードＢ、発展型ノードＢ（ｅＮＢ）及びＮＲノードＢ（ｇＮＢ））を含むが、これらに限定されない。基地局は、それらが提供する（又は別の言い方をすれば、それらが電力レベルを送信する）カバレッジの量に基づいて分類されることができ、そして、フェムト基地局、ピコ基地局、マイクロ基地局、又はマクロ基地局とも呼ばれることができる。基地局は、中継を制御する中継ノード又は中継ドナー・ノードでありうる。ネットワーク・ノードはまた、集中型デジタル・ユニット及び／又は遠隔無線ユニット（ＲＲＵ）（遠隔無線ヘッド（ＲＲＨ）と呼ばれることもある）などの分散型無線基地局の１つ以上の（又はすべての）部分を含むことができる。このような遠隔無線ユニットは、アンテナ一体型無線機としてアンテナと一体化されてもよいし、されなくてもよい。分散無線基地局の一部は、分散アンテナシステム（ＤＡＳ）におけるノードとも呼ぶことができる。ネットワーク・ノードのさらなる例は、ＭＳＲ  ＢＳなどのマルチ標準無線（ＭＳＲ）機器、無線ネットワーク・コントローラ（ＲＮＣ）又は基地局コントローラ（ＢＳＣ）などのネットワーク・コントローラ、基地送受信局（ＢＴＳ）、送信ポイント、送信ノード、マルチセル／マルチキャスト調整エンティティ（ＭＣＥ）、コア・ネットワーク・ノード（例えば、ＭＳＣ、ＭＭＥ）、Ｏ＆Ｍノード、ＯＳＳノード、ＳＯＮノード、測位ノード（例えば、Ｅ‐ＳＭＬＣ）、及び／又はＭＤＴを含む。別の例として、ネットワーク・ノードは、以下により詳細に説明するように、仮想ネットワーク・ノードでありうる。しかし、より一般的に、ネットワーク・ノードは、ワイヤレス・ネットワークへのアクセスを有するワイヤレス・デバイスを可能にし及び／又は提供し、又はワイヤレス・ネットワークにアクセスしたワイヤレス・デバイスに何らかのサービスを提供することが可能であるか、そのように構成、配置、及び／又は動作可能な任意の適当なデバイス（又はデバイスのグループ）を表すことができる。
【００７８】
図９において、ネットワーク・ノード９６０は、処理回路９７０、デバイス可読媒体９８０、インタフェース９９０、補助機器９８４、電源９８６、電力回路９８７、及びアンテナ９６２を含む。図９の例示的なワイヤレス・ネットワークに示されたネットワーク・ノード９６０はハードウェア・コンポーネントの図示された組合せを含むデバイスを表すことができるが、他の実施形態はコンポーネントの異なる組合せを有するネットワーク・ノードを備えることができる。ネットワーク・ノードは、本書で開示されるタスク、特徴、機能、及び方法を実行するために必要とされるハードウェア及び／又はソフトウェアの任意の適切な組合せを備えることを理解されたい。さらに、ネットワーク・ノード９６０のコンポーネントがより大きなボックス内に配置された単一のボックスとして描かれているか、又は複数のボックス内にネストされているが、実際にはネットワーク・ノードは、単一の説明されたコンポーネントを構成する複数の異なる物理コンポーネントを備えることができる（例えば、デバイス可読媒体９８０は複数の個別のハードドライブと、複数のＲＡＭモジュールとを含むことができる）。
【００７９】
同様に、ネットワーク・ノード９６０は、複数の物理的に別個のコンポーネント（例えば、ノードＢコンポーネント及びＲＮＣコンポーネント、又はＢＴＳコンポーネント及びＢＳＣコンポーネントなど）から構成されてもよく、これらはそれぞれ、それら自体の個別のコンポーネントを有しうる。ネットワーク・ノード９６０が複数の別個のコンポーネント（例えば、ＢＴＳ及びＢＳＣコンポーネント）を含む特定のシナリオで、別個のコンポーネントのうちの１つ以上は、いくつかのネットワーク・ノード間で共有されうる。例えば、単一のＲＮＣは、複数のノードＢを制御してもよい。このようなシナリオでは、一意のノードＢ及びＲＮＣのペアのそれぞれは、いくつかの例において、単一の別個のネットワーク・ノードとみなされてもよい。いくつかの実施形態で、ネットワーク・ノード９６０は、複数の無線アクセス技術（ＲＡＴ）をサポートするように構成されうる。そのような実施形態で、いくつかのコンポーネントが複製されてもよく（例えば、異なるＲＡＴについて別個のデバイス可読媒体９８０）、いくつかのコンポーネントは再使用されてもよい（例えば、同じアンテナ９６２はＲＡＴによって共有されることができる）。ネットワーク・ノード９６０はまた、例えば、ＧＳＭ、ＷＣＤＭＡ、ＬＴＥ、ＮＲ、ＷｉＦｉ、又はブルートゥース・ワイヤレス技術のような、ネットワーク・ノード９６０に統合された異なるワイヤレス・技術のための様々な説明されたコンポーネントの複数のセットを含むことができる。これらのワイヤレス技術は、ネットワーク・ノード９６０内の同じ又は異なるチップ又はチップ集合及び他のコンポーネントに統合されうる。
【００８０】
処理回路９７０は、ネットワーク・ノードによって提供されるものとして本書で説明される任意の判定、計算、又は類似の動作（例えば、特定の取得動作）を実行するように構成されうる。処理回路９７０によって実行されるこれらの動作は例えば、取得された情報を他の情報に変換すること、取得された情報又は変換された情報をネットワーク・ノードに記憶された情報と比較すること、及び／又は取得された情報又は変換された情報に基づいて１つ以上の動作を実行すること、及当該処理の結果として判定を行うことによって、処理回路９７０によって取得された情報を処理することを含みうる。
【００８１】
処理回路９７０は、マイクロプロセッサ、コントローラ、マイクロコントローラ、中央演算ユニット、デジタル信号プロセッサ、特定用途向け集積回路、フィールド・プログラマブル・ゲート・アレイ、又は任意の他の適切なコンピューティング・デバイス、リソース、又はハードウェア、ソフトウェア、及び／又は符号化ロジックの組合せのうちの１つ以上の組合せを備えることができ、これらは、単独で、又はデバイス可読媒体９８０、ネットワーク・ノード９６０機能などの他のネットワーク・ノード９６０コンポーネントと併せてのいずれかで提供するように動作可能である。例えば、処理回路９７０は、デバイス可読媒体９８０又は処理回路９７０内のメモリに記憶された命令を実行できる。そのような機能は、本書で説明される様々なワイヤレス特徴、機能、又は利益のいずれかを提供することを含みうる。いくつかの実施形態で、処理回路９７０はシステム・オン・チップ（ＳＯＣ）を含みうる。
【００８２】
いくつかの実施形態で、処理回路９７０は、高周波（ＲＦ）送受信機回路９７２及びベースバンド処理回路９７４のうちの１つ以上を含んでもよい。いくつかの実施形態で、高周波（ＲＦ）送受信機回路９７２及びベースバンド処理回路９７４は、無線ユニット及びデジタル・ユニットなどの、別個のチップ（又はチップの集合）、ボード、又はユニット上にあってもよい。代替の実施形態で、ＲＦ送受信機回路９７２及びベースバンド処理回路９７４の一部又は全部は、同じチップ又はチップの集合、ボード、又はユニット上にあってもよい。
【００８３】
いくつかの実施形態で、ネットワーク・ノード、基地局、ｅＮＢ、又は他のそのようなネットワーク・デバイスによって提供されるものとして本書で説明される機能のいくつか又はすべては、デバイス可読媒体９８０又は処理回路９７０内のメモリ上に記憶された命令を処理回路９７０が実行することによって実行されうる。代替の実施形態で、機能のいくつか又はすべては、ハードワイヤード方式などで、別個の又は個別のデバイス可読媒体上に記憶された命令を実行することなく、処理回路９７０によって提供されうる。これらの実施形態のいずれにおいても、デバイス可読記憶媒体上に記憶された命令を実行するか否かにかかわらず、処理回路９７０は、説明された機能を実行するように構成されうる。そのような機能性によって提供される利点は、処理回路９７０単独又はネットワーク・ノード９６０の他のコンポーネントに限定されず、ネットワーク・ノード９６０全体によって、及び／又はエンド・ユーザ及びワイヤレス・ネットワーク全体によって享受される。
【００８４】
デバイス可読媒体９８０は、限定されるものではないが、永続的記憶装置、ソリッド・ステート・メモリ、遠隔でマウントされたメモリ、磁気媒体、光学媒体、ランダム・アクセス・メモリ（ＲＡＭ）、リード・オンリ・メモリ（ＲＯＭ）、大容量記憶媒体（例えば、ハードディスク）、取り外し可能記憶媒体（例えば、フラッシュ・ドライブ、コンパクト・ディスク（ＣＤ）又はデジタル・ビデオ・ディスク（ＤＶＤ））、及び／又は処理回路９７０によって使用されうる情報、データ、及び／又は命令を記憶する他の任意の揮発性又は不揮発性の非一時的なデバイス可読及び／又はコンピュータ実行可能メモリ・デバイスを含む、任意の形態の揮発性又は不揮発性コンピュータ可読メモリを含みうる。デバイス可読媒体９８０は、コンピュータ・プログラム、ソフトウェア、ロジック、ルール、コード、テーブルなどのうちの１つ以上を含むアプリケーション、及び／又は処理回路９７０によって実行され、ネットワーク・ノード９６０によって利用されることが可能な他の命令を含む、任意の適切な命令、データ、又は情報を記憶できる。デバイス可読媒体９８０は、処理回路９７０によって行われた任意の演算、及び／又はインタフェース９９０を介して受信された任意のデータを記憶するために使用されうる。いくつかの実施形態で、処理回路９７０及びデバイス可読媒体９８０は一体化されていると考えることができる。
【００８５】
インタフェース９９０は、ネットワーク・ノード９６０、ネットワーク９０６、及び／又はＷＤ９１０間のシグナリング及び／又はデータの有線又はワイヤレス通信で使用される。説明されるように、インタフェース９９０は、例えば有線接続を介してネットワーク９０６へ又はネットワーク９０６からデータを送受信するためのポート／端子９９４を備える。インタフェース９９０はまた、アンテナ９６２に、又は特定の実施形態でその一部に結合されうる無線フロントエンド回路９９２を含む。無線フロントエンド回路９９２は、フィルタ９９８及び増幅器９９６を含む。無線フロントエンド回路９９２は、アンテナ９６２及び処理回路９７０に接続されうる。無線フロントエンド回路は、アンテナ９６２と処理回路９７０との間で通信される信号を条件付けるように構成されうる。無線フロントエンド回路９９２は、ワイヤレス接続を介して他のネットワーク・ノード又はＷＤに送出されるデジタル・データを受信できる。無線フロントエンド回路９９２は、フィルタ９９８及び／又は増幅器９９６の組合せを使用して、デジタル・データを、適切なチャネル及び帯域幅パラメータを有する無線信号に変換できる。そして、無線信号は、アンテナ９６２を介して送信されうる。同様に、データを受信する際に、アンテナ９６２は無線信号を収集し、次いで、無線フロントエンド回路９９２によってデジタル・データに変換されうる。デジタル・データは、処理回路９７０に渡されうる。他の実施形態で、インタフェースは、異なるコンポーネント及び／又はコンポーネントの異なる組み合わせを含みうる。
【００８６】
所定の代替の実施形態で、ネットワーク・ノード９６０は、別個の無線フロントエンド回路９９２を含んでいなくてもよく、代わりに、処理回路９７０が無線フロントエンド回路を含んでもよく、別個の無線フロントエンド回路９９２を伴わずにアンテナ９６２に接続されてもよい。同様に、いくつかの実施形態で、ＲＦ送受信機回路９７２のすべて又はいくつかはインタフェース９９０の一部と見なされうる。さらに他の実施形態で、インタフェース９９０は、無線ユニット（図示せず）の一部として、１つ以上のポート又は端子９９４、無線フロントエンド回路９９２、及びＲＦ送受信機回路９７２を含むことができ、インタフェース９９０はデジタル・ユニット（図示せず）の一部であるベースバンド処理回路９７４と通信できる。
【００８７】
アンテナ９６２は、ワイヤレス信号を送信及び／又は受信するように構成された１つ以上のアンテナ、又はアンテナ・アレイを含みうる。アンテナ９６２は、無線フロントエンド回路９９０に結合されることができ、データ及び／又は信号を無線で送受信できる任意のタイプのアンテナでありうる。いくつかの実施形態で、アンテナ９６２は、例えば、２ＧＨｚと６６ＧＨｚとの間で無線信号を送受信するように動作可能な、１つ以上の無指向性、セクター又はパネル・アンテナを備えることができる。無指向性アンテナは任意の方向に無線信号を送受信するために使用されることができ、セクタ・アンテナは特定のエリア内のデバイスから無線信号を送受信するために使用されることができ、パネル・アンテナは、比較的直線上に無線信号を送受信するために使用する視線アンテナでありうる。いくつかの例で、複数のアンテナの使用をＭＩＭＯと呼ぶことができる。所定の実施形態で、アンテナ９６２がネットワーク・ノード９６０とは別個であってもよく、インタフェース又はポートを介してネットワーク・ノード９６０に接続可能であってもよい。
【００８８】
アンテナ９６２、インタフェース９９０、及び／又は処理回路９７０は、ネットワーク・ノードによって実行されるものとして本書で説明される任意の受信動作及び／又は所定の取得動作を実行するように構成されうる。ワイヤレス・デバイス、別のネットワーク・ノード、及び／又は任意の他のネットワーク機器から、任意の情報、データ、及び／又は信号が受信されうる。同様に、アンテナ９６２、インタフェース９９０、及び／又は処理回路９７０は、ネットワーク・ノードによって実行されるものとして本書に記載される任意の送信動作を実行するように構成されうる。ワイヤレス・デバイス、別のネットワーク・ノード、及び／又は任意の他のネットワーク機器へ、任意の情報、データ、及び／又は信号が送信されうる。
【００８９】
電力回路９８７は電力管理回路を備えることができ、又は電力管理回路に結合されることができ、本書に記載される機能を実行するための電力をネットワーク・ノード９６０のコンポーネントに供給するように構成される。電力回路９８７は、電源９８６から電力を受け取ることができる。電源９８６及び／又は電力回路９８７は、個別のコンポーネントに適した形態（例えば、各個別のコンポーネントに必要な電圧及び電流レベル）で、ネットワーク・ノード９６０の様々なコンポーネントに電力を提供するように構成されうる。電源９８６は、電力回路９８７及び／又はネットワーク・ノード９６０内に含まれても、又はその外部に含まれてもよい。例えば、ネットワーク・ノード９６０は、電気ケーブルなどの入力回路又はインタフェースを介して、外部電源（例えば、電気コンセント）に接続可能であり、それによって、外部電源は、電力回路９８７に電力を供給する。さらなる例として、電源９８６は、電力回路９８７に接続される、又は統合される、バッテリ又はバッテリ・パックの形態の電源を含んでもよい。外部電源に障害が発生した場合に、バッテリはバックアップ電力を提供できる。光起電装置のような他のタイプの電源も使用されうる。
【００９０】
ネットワーク・ノード９６０の代替的な実施形態は、本書で説明される機能のいずれか、及び／又は本書で説明される主題をサポートするために必要な任意の機能を含む、ネットワーク・ノードの機能の所定の側面を提供する責任を負うことができる、図９に示されるものを超える追加のコンポーネントを含みうる。例えば、ネットワーク・ノード９６０は、ネットワーク・ノード９６０への情報の入力を可能にし、ネットワーク・ノード９６０からの情報の出力を可能にするためのユーザ・インタフェース機器を含みうる。これにより、ユーザはネットワーク・ノード９６０の診断、保守、修理、及びその他の管理機能を実行することが可能になる。
【００９１】
本書で使用されるように、ワイヤレス・デバイス（ＷＤ）は、ネットワーク・ノード及び／又は他のワイヤレス・デバイスと無線で通信できる、構成される、配置される、及び／又は動作可能なデバイスを指す。特に断らない限り、ＷＤという用語は、本書でユーザ機器（ＵＥ）と互換的に使用されうる。無線で通信することは、電磁波、電波、赤外線、及び／又は空気を通じて情報を伝達するのに適した他のタイプの信号を使用して、ワイヤレス信号を送信及び／又は受信することを含みうる。いくつかの実施形態で、ＷＤは、直接的な人間の対話なしに情報を送信及び／又は受信するように構成されうる。例えば、ＷＤは、所定のスケジュールで、内部又は外部イベントによってトリガされたときに、又はネットワークからの要求に応じて、ネットワークへ情報を送信するように設計されうる。ＷＤの例は、スマートフォン、モバイル電話、携帯電話、ボイス・オーバＩＰ（ＶｏＩＰ）電話、ワイヤレス・ローカル・ループ電話、デスクトップ・コンピュータ、パーソナル・デジタル・アシスタント（ＰＤＡ）、ワイヤレス・カメラ、ゲーム・コンソール又はデバイス、音楽記憶装置、再生装置、ウェアラブル端末デバイス、ワイヤレス・エンドポイント、移動局、タブレット、ラップトップ、ラップトップ埋め込み機器（ＬＥＥ）、ラップトップ搭載機器（ＬＭＥ）、スマート・デバイス、ワイヤレス顧客構内装置（ＣＰＥ）、車載ワイヤレス端末デバイスなどを含むが、これらに限定されない。ＷＤは例えば、サイドリンク通信、車車間通信（Ｖ２Ｖ）、車対インフラストラクチャ（Ｖ２Ｉ）、車対エブリシング通信（Ｖ２Ｘ）のための３ＧＰＰ標準を実施することによって、デバイス・ツー・デバイス（Ｄ２Ｄ）通信をサポートすることができ、この場合に、Ｄ２Ｄ通信デバイスと呼ぶことができる。さらに別の特定の例として、モノのインターネット（ＩｏＴ）シナリオで、ＷＤは、監視及び／又は測定を実行し、そのような監視及び／又は測定の結果を別のＷＤ及び／又はネットワーク・ノードへ送信する機械又は他のデバイスを表すことができる。この場合、ＷＤはマシン・ツー・マシン（Ｍ２Ｍ）デバイスであってもよく、３ＧＰＰ文脈で、ＭＴＣデバイスと呼ばれることができる。１つの特定の例として、ＷＤは、３ＧＰＰ狭帯域モノのインターネット（ＮＢ‐ＩｏＴ）標準を実施するＵＥでありうる。そのような機械又はデバイス置の特定の例は、センサ、電力計、産業機械などの計量デバイス、又は家庭用もしくは個人用機器（例えば、冷蔵庫、テレビなど）、個人用ウェアラブル（例えば、時計、フィットネス・トラッカなど）である。他のシナリオで、ＷＤは、その動作状態又はその動作に関連する他の機能を監視及び／又は報告できる車両又は他の機器を表すことができる。上記のようなＷＤは、ワイヤレス接続のエンドポイントを表すことができる。この場合、デバイスはワイヤレス端末と呼ばれる。さらに、上述のようなＷＤはモバイルであってもよく、その場合、モバイル・デバイス又はモバイル端末とも呼ばれることができる。
【００９２】
説明されるように、ワイヤレス・デバイス９１０は、アンテナ９１１、インタフェース９１４、処理回路９２０、デバイス可読媒体９３０、ユーザ・インタフェース機器９３２、補助機器９３４、電源９３６、及び電力回路９３７を含む。ＷＤ９１０は、ほんの数例を挙げると、例えば、ＧＳＭ、ＷＣＤＭＡ、ＬＴＥ、ＮＲ、ＷｉＦｉ、ＷｉＭＡＸ、又はブルートゥース無線技術のような、ＷＤ９１０によってサポートされる異なるワイヤレス技術のための例示されたコンポーネントのうちの１つ以上の複数の集合を含みうる。これらのワイヤレス技術は、ＷＤ９１０内の他のコンポーネントと同じ又は異なるチップ又はチップの集合に統合されうる。
【００９３】
アンテナ９１１は、ワイヤレス信号を送信及び／又は受信するように構成された１つ以上のアンテナ又はアンテナ・アレイを含んでもよく、インタフェース９１４に接続される。特定の代替実施形態で、アンテナ９１１は、ＷＤ９１０とは別個であってもよく、インタフェース又はポートを通じてＷＤ９１０に接続可能であってもよい。アンテナ９１１、インタフェース９１４、及び／又は処理回路９２０は、ＷＤによって実行されるものとして本書で説明される任意の受信動作又は送信動作を実行するように構成されうる。ネットワーク・ノード及び／又は別のＷＤから、任意の情報、データ、及び／又は信号が受信されうる。いくつかの実施形態で、無線フロントエンド回路及び／又はアンテナ９１１は、インタフェースとみなされうる。
【００９４】
説明されるように、インタフェース９１４は、無線フロントエンド回路９１２及びアンテナ９１１を備える。無線フロントエンド回路９１２は、１つ以上のフィルタ９１８及び増幅器９１６を備える。無線フロントエンド回路９１４は、アンテナ９１１及び処理回路９２０に接続され、アンテナ９１１と処理回路９２０との間で通信される信号を条件付けるように構成される。無線フロントエンド回路９１２は、アンテナ９１１に結合されうるか、又はその一部でありうる。いくつかの実施形態で、ＷＤ９１０は、別個の無線フロントエンド回路９１２を含んでいなくてもよく、むしろ、処理回路９２０が無線フロントエンド回路を含んでもよく、アンテナ９１１に接続されてもよい。同様に、いくつかの実施形態で、ＲＦ送受信機回路９２２の一部又は全部は、インタフェース９１４の一部とみなされうる。無線フロントエンド回路９１２は、ワイヤレス接続を介して他のネットワーク・ノード又はＷＤに送出されるデジタル・データを受信できる。無線フロントエンド回路９１２は、フィルタ９１８及び／又は増幅器９１６の組合せを使用して、デジタル・データを、適切なチャネル及び帯域幅パラメータを有する無線信号に変換できる。次いで、無線信号は、アンテナ９１１を介して送信されうる。同様に、データを受信する場合に、アンテナ９１１は、無線信号を収集でき、これは、次いで、無線フロントエンド回路９１２によってデジタル・データに変換される。デジタル・データは、処理回路９２０に渡されうる。他の実施形態で、インタフェースは、異なるコンポーネント及び／又はコンポーネントの異なる組み合わせを含みうる。
【００９５】
処理回路９２０は、マイクロプロセッサ、コントローラ、マイクロコントローラ、中央処理ユニット、デジタル信号プロセッサ、特定用途向け集積回路、フィールド・プログラマブル・ゲート・アレイ、又は任意の他の適切なコンピューティング・デバイス、リソース、又はハードウェア、ソフトウェア、及び／又は符号化ロジックの組合せのうちの１つ以上の組合せを備えることができ、これらは、単独で、又はデバイス可読媒体９３０、ＷＤ９１０機能などの他のＷＤ９１０コンポーネントと併せてのいずれかで提供するように動作可能である。そのような機能は、本書で説明される様々なワイヤレス特徴又は利点のいずれかを提供することを含みうる。例えば、処理回路９２０は、本書で開示される機能を提供するために、デバイス可読媒体９３０又は処理回路９２０内のメモリに記憶された命令を実行できる。
【００９６】
説明されるように、処理回路９２０は、ＲＦ送受信機回路９２２、ベースバンド処理回路９２４、及びアプリケーション処理回路９２６のうちの１つ以上を含む。他の実施形態で、処理回路は、異なるコンポーネント及び／又はコンポーネントの異なる組み合わせを備えることができる。特定の実施形態で、ＷＤ９１０の処理回路９２０は、ＳＯＣを備えることができる。いくつかの実施形態で、ＲＦ送受信機回路９２２、ベースバンド処理回路９２４、及びアプリケーション処理回路９２６は別個のチップ又はチップの集合上にありうる。代替の実施形態で、ベースバンド処理回路９２４及びアプリケーション処理回路９２６の一部又は全部は、１つのチップ又はチップの集合に組み合わされてもよく、ＲＦ送受信機回路９２２は別個のチップ又はチップの集合上にあってもよい。さらに代替的な実施形態で、ＲＦ送受信機回路９２２及びベースバンド処理回路９２４の一部又は全部が同一チップ又はチップセット上にあってもよく、アプリケーション処理回路９２６が別個のチップ又はチップセット上にあってもよい。さらに他の代替実施形態で、ＲＦ送受信機回路９２２、ベースバンド処理回路９２４、及びアプリケーション処理回路９２６の一部又は全部は、同じチップ又はチップの集合で組み合わされてもよい。いくつかの実施形態で、ＲＦ送受信機回路９２２はインタフェース９１４の一部でありうる。ＲＦ送受信機回路９２２は、処理回路９２０のためのＲＦ信号を条件付けることができる。
【００９７】
特定の実施形態で、ＷＤによって実行されるものとして本書で説明される機能の一部又はすべては、所定の実施形態でコンピュータ可読記憶媒体でありうるデバイス可読媒体９３０上に記憶された命令を処理回路９２０が実行することによって提供されうる。代替の実施形態で、機能のいくつか又はすべては、ハードワイヤード方式などで、別個の又は個別のデバイス可読記憶媒体上に記憶された命令を実行することなく、処理回路９２０によって提供されうる。これらの特定の実施形態のいずれにおいても、デバイス可読記憶媒体上に記憶された命令を実行するか否かにかかわらず、処理回路９２０は、説明された機能を実行するように構成されうる。そのような機能によって提供される利点は、処理回路９２０単独又はＷＤ９１０の他のコンポーネントに限定されず、ＷＤ９１０全体によって及び／又はエンド・ユーザ及びワイヤレス・ネットワーク全体によって享受される。
【００９８】
処理回路９２０は、ＷＤによって実行されるものとして本書で説明される任意の判定、計算、又は類似の動作（例えば、所定の取得動作）を実行するように構成されうる。処理回路９２０によって実行されるようなこれらの動作は、例えば、取得された情報を他の情報に変換すること、取得された情報又は変換された情報をＷＤ９１０によって記憶された情報と比較すること、及び／又は取得された情報又は変換された情報に基づいて１つ以上の動作を実行すること、及び当該処理の結果として判定を行うことによって、処理回路９２０によって取得された情報を処理することを含みうる。
【００９９】
デバイス可読媒体９３０は、コンピュータ・プログラム、ソフトウェア、ロジック、ルール、コード、テーブルなどのうちの１つ以上を含むアプリケーション、及び／又は処理回路９２０によって実行されることが可能な他の命令を記憶するように動作可能でありうる。デバイス可読媒体９３０は、コンピュータ・メモリ（例えば、ランダム・アクセス・メモリ（ＲＡＭ）又はリード・オンリ・メモリ（ＲＯＭ））、大容量記憶媒体（例えば、ハードディスク）、取り外し可能記憶媒体（例えば、コンパクト・ディスク（ＣＤ）又はデジタル・ビデオ・ディスク（ＤＶＤ））、及び／又は処理回路９２０によって使用されうる情報、データ、及び／又は命令を記憶する任意の他の揮発性又は不揮発性の一時的でないデバイス可読及び／又はコンピュータ実行可能メモリ・デバイスを含みうる。いくつかの実施形態で、処理回路９２０及びデバイス可読媒体９３０は、統合されているとみなされうる。
【０１００】
ユーザ・インタフェース機器９３２は、人間のユーザがＷＤ９１０と対話することを可能にするコンポーネントを提供しうる。このような対話は、視覚的、聴覚的、触覚的などの多くの形態でありうる。ユーザ・インタフェース機器９３２は、ユーザへの出力を生成し、ユーザがＷＤ９１０に入力を提供することを可能にするように動作可能でありうる。対話のタイプは、ＷＤ９１０に設置されたユーザ・インタフェース機器９３２のタイプに応じて変わりうる。例えば、ＷＤ９１０がスマートフォンであるならば、対話はタッチスクリーンを介することができ、ＷＤ９１０がスマート・メータであるならば、対話は使用量（例えば、使用されるガロン数）を提供するスクリーン、又は可聴警報（例えば、煙が検出される場合）を提供するスピーカを介しうる。ユーザ・インタフェース機器９３２は、入力インタフェース、デバイス及び回路、並びに出力インタフェース、デバイス及び回路を含みうる。ユーザ・インタフェース装置９３２は、ＷＤ９１０への情報の入力を可能にするように構成され、処理回路９２０に接続されて、処理回路９２０が入力情報を処理することを可能にする。ユーザ・インタフェース機器９３２は例えば、マイクロフォン、近接又は他のセンサ、キー／ボタン、タッチ・ディスプレイ、１つ以上のカメラ、ＵＳＢポート、又は他の入力回路を含みうる。ユーザ・インタフェース機器９３２はまた、ＷＤ９１０からの情報の出力を可能にし、処理回路９２０がＷＤ９１０からの情報を出力することを可能にするように構成される。ユーザ・インタフェース機器９３２は例えば、スピーカ、ディスプレイ、振動回路、ＵＳＢポート、ヘッドホン・インタフェース、又は他の出力回路を含みうる。ユーザ・インタフェース機器９３２の１つ以上の入出力インタフェース、デバイス、及び回路を使用して、ＷＤ９１０は、エンド・ユーザ及び／又はワイヤレス・ネットワークと通信でき、本書で説明する機能からの利点をこれらに与えることを可能にできる。
【０１０１】
補助装置９３４は、ＷＤによって一般に実行されなくてもよいより具体的な機能を提供するように動作可能である。これは、様々な目的のために測定を行うための専用センサ、有線通信などの追加のタイプの通信のためのインタフェースを備えることができる。補助装置９３４のコンポーネントの包含及びタイプは、実施形態及び／又はシナリオに応じて変わりうる。
【０１０２】
電源９３６は、一部の実施形態で、バッテリ又はバッテリ・パックの形態でありうる。外部電源（例えば、電気コンセント）、光起電デバイス又は電力セルなどの他のタイプの電力源も使用されうる。ＷＤ９１０は、電源９３６からの電力を、本書に記載又は示される任意の機能を実行するために電源９３６からの電力を必要とするＷＤ９１０の種々の部分に送る電力回路９３７をさらに備えることができる。電力回路９３７は、所定の実施形態で電力管理回路を含みうる。電力回路９３７は追加的又は代替的に、外部電源から電力を受け取るように動作可能であってもよく、その場合、ＷＤ９１０は、入力回路又は電力ケーブルなどのインタフェースを介して、外部電源（電気コンセントなど）に接続可能であってもよい。電力回路９３７は、所定の実施形態で、外部電源から電源９３６へ電力を送るように動作可能であってもよい。これは、例えば、電源９３６の充電のためでありうる。電力回路９３７は、電力が供給されるＷＤ９１０の個別のコンポーネントに適した電力とするために、電源９３６からの電力に対する任意のフォーマット、変換又は他の修正を実行できる。
【０１０３】
図１０は、本書で説明される様々な側面によるＵＥの一実施形態を示す。本書で使用されるように、ユーザ機器すなわちＵＥは、必ずしも、関連するデバイスを所有し及び／又は操作する人間のユーザという意味でユーザを有していなくてもよい。代わりに、ＵＥは、人間のユーザへの販売又は人間のユーザによる操作が意図されているが、特定の人間のユーザに関連付けられていていない、又は最初は関連付けられていなくてもよいデバイス（例えば、スマート・スプリンクラ・コントローラ）を表すことができる。あるいは、ＵＥは、エンド・ユーザへの販売又はエンド・ユーザによる操作を意図されていないが、ユーザのために関連付けられ又は動作されうるデバイス（例えば、スマート電力計）を表すことができる。ＵＥ１０２００は、ＮＢ‐ＩｏＴ  ＵＥ、マシン・タイプ通信（ＭＴＣ）ＵＥ、及び／又は発展型ＭＴＣ（ｅＭＴＣ）ＵＥを含む、第３世代パートナシップ・プロジェクト（３ＧＰＰ）によって識別される任意のＵＥでありうる。ＵＥ１０２００は、図１０に示されるように、３ＧＰＰのＧＳＭ、ＵＭＴＳ、ＬＴＥ、及び／又は５Ｇ標準などの、第３世代パートナシップ・プロジェクト（３ＧＰＰ）によって公布される１つ以上の通信標準に従って通信するように構成されるＷＤの一例である。前述のように、ＷＤ及びＵＥという用語は、交換可能に使用されうる。したがって、図１０はＵＥであるが、本書で説明されるコンポーネントはＷＤに等しく適用可能であり、その逆もまた同様である。
【０１０４】
図１０において、ＵＥ１０００は、入出力インタフェース１００５、高周波（ＲＦ）インタフェース１００９、ネットワーク接続インタフェース１０１１、ランダム・アクセス・メモリ（ＲＡＭ）１０１７、リード・オンリ・メモリ（ＲＯＭ）１０１９、及び記憶媒体１０２１などを含むメモリ１０１５、通信サブシステム１０３１、電源１０３３、及び／又は任意の他のコンポーネント、又はそれらの任意の組合せに動作可能に結合される処理回路１００１を含む。記憶媒体１０２１は、オペレーティング・システム１０２３、アプリケーション・プログラム１０２５、及びデータ１０２７を含む。他の実施形態で、記憶媒体１０２１が他の同様のタイプの情報を含みうる。所定のＵＥは、図１０に示されるコンポーネントのすべて、又はコンポーネントのサブセットのみを利用できる。コンポーネント間の統合のレベルは、ＵＥごとに変わりうる。さらに、所定のＵＥは、複数のプロセッサ、メモリ、送受信機、送信機、受信機などのコンポーネントの複数のインスタンスを含みうる。
【０１０５】
図１０で、処理回路１００１は、コンピュータ命令及びデータを処理するように構成されうる。処理回路１００１は、１つ以上のハードウェア実装状態機械（例えば、ディスクリート論理、ＦＰＧＡ、ＡＳＩＣなど）、適切なファームウェアを有するプログラマブル論理、１つ以上の記憶されたプログラム、適切なソフトウェアを伴うマイクロプロセッサ又はデジタル信号プロセッサ（ＤＳＰ）などの汎用プロセッサ、又は上記の任意の組合せなどのような、機械可読コンピュータ・プログラムとしてメモリに記憶された機械命令を実行するように動作する任意の順次状態機械を実装するように構成されうる。例えば、処理回路１００１は、２つの中央処理ユニット（ＣＰＵ）を含みうる。データは、コンピュータによる使用に適した形態の情報でありうる。
【０１０６】
図示の実施形態で、入出力インタフェース１００５は、入力デバイス、出力デバイス、又は入力及び出力デバイスへの通信インタフェースを提供するように構成されうる。ＵＥ１０００は、入出力インタフェース１００５を介して出力デバイスを使用するように構成されうる。出力デバイスは、入力デバイスと同じタイプのインタフェース・ポートを使用できる。例えば、ＵＳＢポートを使用して、ＵＥ１０００への入力及びＵＥからの出力を提供できる。出力デバイスは、スピーカ、サウンド・カード、ビデオ・カード、ディスプレイ、モニタ、プリンタ、アクチュエータ、エミッタ、スマートカード、別の出力デバイス、又はそれらの任意の組合せでありうる。ＵＥ１０００は、入出力インタフェース１００５を介して入力デバイスを使用して、ユーザがＵＥ１０００に情報をキャプチャすることを可能にするように構成されうる。入力デバイスはタッチ・センシティブ又はプレゼンス・センシティブ・ディスプレイ、カメラ（例えば、デジタル・カメラ、デジタル・ビデオ・カメラ、ウェブ・カメラなど）、マイクロフォン、センサ、マウス、トラックボール、方向パッド、トラックパッド、スクロール・ホイール、スマートカードなどを含みうる。プレゼンス・センシティブ・ディスプレイは、ユーザからの入力を感知するために、容量性又は抵抗性タッチセンサを含みうる。センサは例えば、加速度計、ジャイロスコープ、傾斜センサ、力センサ、磁力計、光学センサ、近接センサ、別の同様のセンサ、又はそれらの任意の組合せでありうる。例えば、入力デバイスは、加速度計、磁力計、デジタル・カメラ、マイクロフォン、及び光センサでありうる。
【０１０７】
図１０で、ＲＦインタフェース１００９は、送信機、受信機、及びアンテナなどのＲＦコンポーネントに通信インタフェースを提供するように構成されうる。ネットワーク接続インタフェース１０１１は、ネットワーク１０４３ａへの通信インタフェースを提供するように構成されうる。ネットワーク１０４３ａは、ローカル・エリア・ネットワーク（ＬＡＮ）、ワイド・エリア・ネットワーク（ＷＡＮ）、コンピュータ・ネットワーク、ワイヤレス・ネットワーク、電気通信ネットワーク、他のネットワーク又はそれらの組み合わせのような有線及び／又はワイヤレス・ネットワークを含みうる。例えば、ネットワーク１０４３ａは、Ｗｉ‐Ｆｉネットワークを備えうる。ネットワーク接続インタフェース１０１１は、イーサネット、ＴＣＰ／ＩＰ、ＳＯＮＥＴ、ＡＴＭなどの１つ以上の通信プロトコルに従って、通信ネットワークを介して１つ以上の他のデバイスと通信するために使用される受信機及び送信機インタフェースを含むように構成されうる。ネットワーク接続インタフェース１０１１は、通信ネットワーク・リンク（例えば、光、電気など）に適した受信機及び送信機機能を実施できる。送信機機能及び受信機機能は回路コンポーネント、ソフトウェア、又はファームウェアを共有することができ、あるいは、別々に実施されうる。
【０１０８】
ＲＡＭ１０１７は、オペレーティング・システム、アプリケーション・プログラム、及びデバイス・ドライバなどのソフトウェア・プログラムの実行中にデータ又はコンピュータ命令の記憶又はキャッシュを提供するために、バス１００２を介して処理回路１００１にインタフェースするように構成されうる。ＲＯＭ１０１９は、コンピュータ命令又はデータを処理回路１００１に提供するように構成されうる。例えば、ＲＯＭ１０１９は、基本入出力（Ｉ／Ｏ）、スタートアップ、又は不揮発性メモリに記憶されたキーボードからのキーストロークの受信のような基本的なシステム機能のための不変の低レベル・システム・コード又はデータを記憶するように構成されうる。記憶媒体１０２１は、ＲＡＭ、ＲＯＭ、プログラマブル・リード・オンリ・メモリ、消去可能プログラマブル・リード・オンリ・メモリ、電気的消去可能プログラマブル・リード・オンリ・メモリ、磁気ディスク、光ディスク、フロッピー・ディスク、ハードディスク、リムーバブル・カートリッジ、又はフラッシュ・ドライブなどのメモリを含むように構成されうる。一例で、記憶媒体１０２１は、オペレーティング・システム１０２３、ウェブ・ブラウザ・アプリケーション、ウィジェット又はガジェット・エンジン又は別のアプリケーションなどのアプリケーション・プログラム１０２５、及びデータ・ファイル１０２７を含むように構成されうる。記憶媒体１０２１は、ＵＥ１０００によって使用するために、様々なオペレーティング・システムのうちの任意のもの、又はオペレーティング・システムの組合せを記憶できる。
【０１０９】
記憶媒体１０２１は、独立ディスクの冗長アレイ（ＲＡＩＤ）、フロッピー・ディスク・ドライブ、フラッシュ・メモリ、ＵＳＢフラッシュ・ドライブ、外部ハードディスク・ドライブ、サム・ドライブ、ペン・ドライブ、キー・ドライブ、高密度デジタル多用途ディスク（ＨＤ‐ＤＶＤ）光ディスク・ドライブ、内部ハードディスク・ドライブ、ブルーレイ光ディスク・ドライブ、ホログラフィック・デジタル・データ・ストレージ（ＨＤＤＳ）光ディスク・ドライブ、外部ミニデュアル・インライン・メモリ・モジュール（ＤＩＭＭ）、同期ダイナミック・ランダム・アクセス・メモリ（ＳＤＲＡＭ）、外部マイクロＤＩＭＭ  ＳＤＲＡＭ、加入者識別モジュール又は取り外し可能ユーザ識別（ＳＩＭ／ＲＵＩＭ）モジュールなどのスマートカード・メモリ、他のメモリ、又はそれらの任意の組合せなど、複数の物理ドライブ・ユニット含むように構成されうる。記憶媒体１０２１は、ＵＥ１０００が一時的又は非一時的なメモリ媒体に記憶されたコンピュータ実行可能な命令、アプリケーション・プログラムなどにアクセスしたり、データをオフロードしたり、データをアップロードしたりすることを可能にできる。通信システムを利用するもののような製品は、デバイス可読媒体を備えることができる記憶媒体１０２１において有形に具現化されうる。
【０１１０】
図１０で、処理回路１００１は、通信サブシステム１０３１を使用してネットワーク１０４３ｂと通信するように構成されうる。ネットワーク１０４３ａ及びネットワーク１０４３ｂは、同じネットワーク若しくは複数のネットワーク、又は異なるネットワーク若しくは複数のネットワークであってもよい。通信サブシステム１０３１は、ネットワーク１０４３ｂと通信するために使用される１つ以上の送受信機を含むように構成されうる。例えば、通信サブシステム１０３１は、ＩＥＥＥ８０２．１０、ＣＤＭＡ、ＷＣＤＭＡ、ＧＳＭ、ＬＴＥ、ＵＴＲＡＮ、ＷｉＭａｘなどの１つ以上の通信プロトコルに従って、無線アクセス・ネットワーク（ＲＡＮ）の別のＷＤ、ＵＥ、又は基地局などのワイヤレス通信が可能な別のデバイスの１つ以上のリモート送受信機と通信するために使用される１つ以上の送受信機を含むように構成されうる。各送受信機は、ＲＡＮリンク（例えば、周波数割り当てなど）に適切な送信機又は受信機機能をそれぞれ実施するために、送信機１０３３及び／又は受信機１０３５を含みうる。さらに、各送受信機の送信機１０３３及び受信機１０３５は、回路コンポーネント、ソフトウェア、又はファームウェアを共有することができ、あるいは別々に実施されうる。
【０１１１】
説明される実施形態で、通信サブシステム１０３１の通信機能は、データ通信、音声通信、マルチメディア通信、ブルートゥースなどの短距離通信、近距離通信、位置を決定するための全地球測位システム（ＧＰＳ）の使用などの位置ベース通信、別の同様の通信機能、又はそれらの任意の組合せを含みうる。例えば、通信サブシステム１０３１は、セルラ通信、Ｗｉ‐Ｆｉ通信、ブルートゥース通信、及びＧＰＳ通信を含みうる。ネットワーク１０４３ｂは、ローカル・エリア・ネットワーク（ＬＡＮ）、ワイド・エリア・ネットワーク（ＷＡＮ）、コンピュータ・ネットワーク、ワイヤレス・ネットワーク、電気通信ネットワーク、別の同様のネットワーク又はそれらの任意の組合せなどの有線及び／又はワイヤレス・ネットワークを含みうる。例えば、ネットワーク１０４３ｂは、セルラ・ネットワーク、Ｗｉ‐Ｆｉネットワーク、及び／又は近距離ネットワークでありうる。電源１０１３は、ＵＥ１０００のコンポーネントに交流（ＡＣ）又は直流（ＤＣ）電力を供給するように構成されうる。
【０１１２】
本書で説明される特徴、利点、及び／又は機能はＵＥ１０００のコンポーネントのうちの１つで実施されることができ、又はＵＥ１０００の複数のコンポーネントにわたって区分されることができる。さらに、本書で説明される特徴、利点、及び／又は機能は、ハードウェア、ソフトウェア、又はファームウェアの任意の組合せで実施されうる。一例で、通信サブシステム１０３１は、本書で説明されるコンポーネントのいずれかを含むように構成されうる。さらに、処理回路１００１は、バス１００２を介してそのようなコンポーネントのいずれかと通信するように構成されうる。別の例で、そのようなコンポーネントのいずれも、処理回路１００１によって実行されると、本書で説明される対応する機能を実行する、メモリに記憶されたプログラム命令によって表されうる。別の例で、そのようなコンポーネントのいずれかの機能は、処理回路１００１と通信サブシステム１０３１との間で区分されうる。別の例で、このようなコンポーネントのいずれかの非計算集約的機能はソフトウェア又はファームウェアで実施されることができ、計算集約的機能はハードウェアで実施されうる。
【０１１３】
図１１は、いくつかの実施形態によって実施される機能が仮想化されうる仮想化環境１１００を説明する概略ブロック図である。本文脈において、仮想化は、ハードウェア・プラットフォーム、記憶デバイス及びネットワーク・リソースを仮想化することを含みうる装置又はデバイスの仮想化バージョンを作成することを意味する。本書で使用されるように、仮想化は、ノード（例えば、仮想化された基地局又は仮想化された無線アクセス・ノード）又はデバイス（例えば、ＵＥ、ワイヤレス・デバイス、又は任意の他のタイプの通信デバイス）又はそれらのコンポーネントに適用されることができ、機能の少なくとも一部が１つ以上の仮想コンポーネントとして（例えば、１つ以上のネットワーク内の１つ以上の物理処理ノード上で実行される１つ以上のアプリケーション、コンポーネント、機能、仮想マシン、又はコンテナを介して）実施される実施形態に関係する。
【０１１４】
いくつかの実施形態において、本書に記載される機能の一部又は全部は、１つ以上のハードウェア・ノード１１３０によってホストされる１つ以上の仮想環境１１００内に実施される１つ以上の仮想マシンによって実行される仮想コンポーネントとして実施されうる。さらに、仮想ノードが無線アクセス・ノードでないか、無線接続を必要としない実施形態（例えば、コア・ネットワーク・ノード）で、ネットワーク・ノードは完全に仮想化されうる。
【０１１５】
機能は、本書で開示される実施形態のいくつかの特徴、機能、及び／又は利益のいくつかを実施するように動作可能な１つ以上のアプリケーション１１２０（代替として、ソフトウェア・インスタンス、仮想アプライアンス、ネットワーク機能、仮想ノード、仮想ネットワーク機能などと呼ばれうる）によって実施されうる。アプリケーション１１２０は、処理回路１１６０及びメモリ１１９０を備えるハードウェア１１３０を提供する仮想化環境１１００において実行される。メモリ１１９０は、処理回路１１６０によって実行可能な命令１１９５を含み、それによって、アプリケーション１１２０は、本書で開示される特徴、利点、及び／又は機能のうちの１つ以上を提供するように動作可能である。
【０１１６】
仮想化環境１１００は、市販の既製（ＣＯＴＳ）プロセッサ、専用の特定用途向け集積回路（ＡＳＩＣ）、又はデジタル又はアナログのハードウェア・コンポーネント又は専用プロセッサを含む任意の他のタイプの処理回路でありうる、１つ以上のプロセッサ又は処理回路１１６０の集合を備える汎用又は専用のネットワーク・ハードウェア・デバイス１１３０を備える。各ハードウェア・デバイスは、処理回路１１６０によって実行される命令１１９５又はソフトウェアを一時的に記憶するための非永続的メモリでありうるメモリ１１９０‐１を備えることができる。各ハードウェア・デバイスは、物理ネットワーク・インタフェース１１８０を含むネットワーク・インタフェース・カードとも呼ばれる１つ以上のネットワーク・インタフェース・コントローラ（ＮＩＣ）１１７０を備えることができる。各ハードウェア・デバイスはまた、処理回路１１６０によって実行可能なソフトウェア１１９５及び／又は命令を記憶した、非一時的で永続的な機械可読記憶媒体１１９０‐２を含みうる。ソフトウェア１１９５は、１つ以上の仮想化レイヤ１１５０（ハイパーバイザとも呼ばれる）をインスタンス化するためのソフトウェア、仮想マシン１１４０を実行するためのソフトウェア、並びに本書に記載するいくつかの実施形態に関連して記載される機能、特徴、及び／又は利点を実行することを可能にするソフトウェアを含む任意のタイプのソフトウェアを含みうる。
【０１１７】
仮想マシン１１４０は、仮想処理、仮想メモリ、仮想ネットワーキング又はインタフェース及び仮想記憶装置を含み、対応する仮想化レイヤ１１５０又はハイパーバイザによって実行されうる。仮想アプライアンス１１２０のインスタンスの様々な実施形態は仮想マシン１１４０の１つ以上で実施されることができ、実施は異なる方法で行うことができる。
【０１１８】
動作中、処理回路１１６０は、仮想マシン・モニタ（ＶＭＭ）と呼ばれることもあるハイパーバイザ又は仮想化レイヤ１１５０をインスタンス化するためにソフトウェア１１９５を実行する。仮想化レイヤ１１５０は、ネットワーキング・ハードウェアのように見える仮想オペレーティング・プラットフォームを仮想マシン１１４０に提示できる。
【０１１９】
図１１に示すように、ハードウェア１１３０は、汎用又は専用のコンポーネントを有するスタンドアロン・ネットワーク・ノードでありうる。ハードウェア１１３０はアンテナ１１２２５を備えることができ、仮想化を介していくつかの機能を実施できる。あるいは、ハードウェア１１３０は、多くのハードウェア・ノードが協調して動作し、特にアプリケーション１１２０のライフサイクル管理を監督する管理及びオーケストレーション（ＭＡＮＯ）１１１００を介して管理される、（例えば、データ・センタや顧客構内機器（ＣＰＥ）内などの）より大きなハードウェアのクラスタの一部でありうる。
【０１２０】
ハードウェアの仮想化は、ネットワーク機能仮想化（ＮＦＶ）と呼ばれるいくつかの文脈で行われる。ＮＦＶは、多くのネットワーク機器タイプを、業界標準の大容量サーバ・ハードウェア、物理スイッチ、及びデータ・センタに配置できる物理記憶装置、並びに顧客構内機器に統合するために使用されうる。
【０１２１】
ＮＦＶの文脈で、仮想マシン１１４０は、あたかも物理的な仮想化されていないマシン上で実行されているかのようにプログラムを実行する物理マシンのソフトウェア実装でありうる。仮想マシン１１４０の各々、及びその仮想マシンを実行するハードウェア１１３０のその部分は、当該仮想マシンに専用のハードウェアであり、及び／又は、当該仮想マシンによって仮想マシン１１４０の他のものと共有されるハードウェアであり、別個の仮想ネットワーク要素（ＶＮＥ）を形成する。
【０１２２】
さらに、ＮＦＶの文脈で、仮想ネットワーク機能（ＶＮＦ）は、ハードウェア・ネットワーキング・インフラストラクチャ１１３０の上の１つ以上の仮想マシン１１４０で実行され、図１１のアプリケーション１１２０に対応する特定のネットワーク機能を処理する責任を負う。
【０１２３】
いくつかの実施形態で、それぞれが１つ以上の送信機１１２２０及び１つ以上の受信機１１２１０を含む１つ以上の無線ユニット１１２００は、１つ以上のアンテナ１１２２５に結合されうる。無線ユニット１１２００は、１つ以上の適切なネットワーク・インタフェースを介してハードウェア・ノード１１３０と直接通信することができ、仮想コンポーネントと組み合わせて使用して、無線アクセス・ノードや基地局などの無線機能を仮想ノードに提供できる。
【０１２４】
いくつかの実施形態で、何らかのシグナリングが、ハードウェア・ノード１１３０と無線ユニット１１２００との間の通信のために代替的に使用されうる制御システム１１２３０を使用して達成されうる。
【０１２５】
図１２を参照すると、実施形態に従う通信システムが示される。説明される通信システムは、無線アクセス・ネットワークなどのアクセス・ネットワーク１２１１とコア・ネットワーク１２１４とを含む３ＧＰＰタイプのセルラ・ネットワークなどの電気通信ネットワーク１２１０を含む。アクセス・ネットワーク１２１１は、複数の基地局１２１２ａ、１２１２ｂ、１２１２ｃ、例えば、ＮＢ、ｅＮＢ、ｇＮＢ、又は他のタイプのワイヤレス・アクセス・ポイントを備え、各々が対応するカバレッジ・エリア１２１３ａ、１２１３ｂ、１２１３ｃを規定する。各基地局１２１２ａ、１２１２ｂ、１２１２ｃは、有線又はワイヤレス接続１２１５を介してコア・ネットワーク１２１４に接続可能である。カバレッジ・エリア１２１３ｃに位置する第１のＵＥ１２９１は、対応する基地局１２１２ｃに無線接続するように、又はページングされるように構成される。カバレッジ・エリア１２１３ａ内の第２のＵＥ１２９２は、対応する基地局１２１２ａに無線で接続可能である。この例で複数のＵＥ１２９１、１２９２が示されているが、開示された実施形態は、単一のＵＥがカバレッジ・エリア内にある状況、又は単一のＵＥが対応する基地局１２１２に接続している状況にも等しく適用可能である。
【０１２６】
電気通信ネットワーク１２１０はそれ自体がホスト・コンピュータ１２３０に接続されており、これは、スタンドアロン・サーバ、クラウド実施サーバ、分散サーバ、又はサーバ・ファーム内の処理リソースのハードウェア及び／又はソフトウェアで実施されうる。ホスト・コンピュータ１２３０はサービス・プロバイダの所有権又は制御下に置くことができ、あるいはサービス・プロバイダによって、又はサービス・プロバイダのために動作されうる。電気通信ネットワーク１２１０とホスト・コンピュータ１２３０との間の接続１２２１及び１２２２は、コア・ネットワーク１２１４からホスト・コンピュータ１２３０に直接延長することができ、あるいはオプションの中間ネットワーク１２２０を介して延びることができる。中間ネットワーク１２２０は、パブリック、プライベート又はホストされたネットワークのうちの１つ以上の組合せであってもよく、中間ネットワーク１２２０はもしあれば、バックボーン・ネットワーク又はインターネットであってもよく、特に、中間ネットワーク１２２０は、２つ以上のサブ・ネットワーク（図示せず）を備えてもよい。
【０１２７】
図１２の通信システム全体は、接続されたＵＥ１２９１、１２９２とホスト・コンピュータ１２３０との間のコネクティビティを可能にする。コネクティビティは、オーバ・ザ・トップ（ＯＴＴ）接続１２５０として説明されうる。ホスト・コンピュータ１２３０及び接続されたＵＥ１２９１、１２９２は、アクセス・ネットワーク１２１１、コア・ネットワーク１２１４、任意の中間ネットワーク１２２０、及び可能なさらなるインフラストラクチャ（図示せず）を媒介として使用して、ＯＴＴ接続１２５０を介してデータ及び／又はシグナリングを通信するように構成される。ＯＴＴ接続１２５０は、ＯＴＴ接続１２５０が通過する参加通信装置がアップリンク通信及びダウンリンク通信のルーティングに気付かないという意味で、透過的でありうる。例えば、基地局１２１２は、接続されたＵＥ１２９１へ転送（例えば、ハンドオーバ）されるホスト・コンピュータ１２３０から発信されたデータを有する着信ダウンリンク通信の過去のルーティングについて通知されなくてもよいし、通知される必要がない。同様に、基地局１２１２は、ＵＥ１２９１からホスト・コンピュータ１２３０に向けて発信される発信アップリンク通信の将来のルーティングを認識する必要はない。
【０１２８】
先の段落で説明されたＵＥ、基地局、及びホスト・コンピュータの実施例に従う例示の実装が図１３を参照して説明される。通信システム１３００において、ホスト・コンピュータ１３１０は、通信システム１３００の異なる通信デバイスのインタフェースとの有線又はワイヤレス接続をセットアップし維持するように構成された通信インタフェース１３１６を含むハードウェア１３１５を含む。ホスト・コンピュータ１３１０は、記憶及び／又は処理能力を有しうる処理回路１３１８をさらに備える。特に、処理回路１３１８は、命令を実行するように適合された１つ以上のプログラマブル・プロセッサ、特定用途向け集積回路、フィールド・プログラマブル・ゲート・アレイ、又はこれらの組み合わせ（図示せず）を備えることができる。ホスト・コンピュータ１３１０は、さらにソフトウェア１３１１を備え、これは、ホスト・コンピュータ１３１０によって記憶され、又はアクセス可能であり、処理回路１３１８によって実行可能である。ソフトウェア１３１１は、ホスト・アプリケーション１３１２を含む。ホスト・アプリケーション１３１２は、ＵＥ１３３０及びホスト・コンピュータ１３１０で終端するＯＴＴ接続１３５０を介して接続するＵＥ１３３０のような、リモート・ユーザにサービスを提供するように動作可能である。サービスをリモート・ユーザに提供する際に、ホスト・アプリケーション１３１２は、ＯＴＴ接続１３５０を使用して送信されるユーザ・データを提供できる。
【０１２９】
通信システム１３００は、電気通信システムに設けられ、ホスト・コンピュータ１３１０及びＵＥ１３３０と通信することを可能にするハードウェア１３２５を含む基地局１３２０をさらに含む。ハードウェア１３２５は、通信システム１３００の異なる通信デバイスのインタフェースとの有線又はワイヤレス接続をセットアップ及び維持するための通信インタフェース１３２６と、基地局１３２０によってサービスされるカバレッジ・エリア（図１３に示されていない）に配置されたＵＥ１３３０との少なくともワイヤレス接続１３７０をセットアップ及び維持するための無線インタフェース１３２７とを含みうる。通信インタフェース１３２６は、ホスト・コンピュータ１３１０への接続１３６０を容易にするように構成されうる。接続１３６０は直接的であってもよいし、電気通信システムのコア・ネットワーク（図１３には示されていない）及び／又は電気通信システムの外部の１つ以上の中間ネットワークを通過してもよい。図示の実施形態で、基地局１３２０のハードウェア１３２５は、命令を実行するように適合された１つ以上のプログラマブル・プロセッサ、特定用途向け集積回路、フィールド・プログラマブル・ゲート・アレイ又はこれらの組み合わせ（図示せず）を含みうる処理回路１３２８をさらに含む。基地局１３２０はさらに、内部に記憶された、又は外部接続を介してアクセス可能なソフトウェア１３２１を有する。
【０１３０】
通信システム１３００は、既に参照されたＵＥ１３３０をさらに含む。そのハードウェア１３３５は、ＵＥ１３３０が現在配置されているカバレッジ・エリアにサービスする基地局とのワイヤレス接続１３７０をセットアップし維持するように構成された無線インタフェース１３３７を含みうる。ＵＥ１３３０のハードウェア１３３５は、処理回路１３３８を含んでもよく、これは、１つ以上のプログラマブル・プロセッサ、特定用途向け集積回路、フィールド・プログラマブル・ゲート・アレイ、又は命令を実行するように適合されたこれら（図示せず）の組み合わせをさらに含む。ＵＥ１３３０はさらにソフトウェア１３３１を備え、それはＵＥ１３３０に記憶され、又はアクセス可能であり、処理回路１３３８によって実行可能である。ソフトウェア１３３１は、クライアント・アプリケーション１３３２を含む。クライアント・アプリケーション１３３２は、ホスト・コンピュータ１３１０のサポートにより、ＵＥ１３３０を介して人間又は非人間のユーザにサービスを提供するように動作可能である。ホスト・コンピュータ１３１０において、実行中のホスト・アプリケーション１３１２は、ＵＥ１３３０及びホスト・コンピュータ１３１０で終端するＯＴＴ接続１３５０を介して、実行中のクライアント・アプリケーション１３３２と通信できる。ユーザにサービスを提供する際に、クライアント・アプリケーション１３３２は、ホスト・アプリケーション１３１２から要求データを受信し、要求データに応じてユーザ・データを提供できる。ＯＴＴ接続１３５０は、要求データとユーザ・データの両方を転送できる。クライアント・アプリケーション１３３２は、ユーザと対話して、それが提供するユーザ・データを生成できる。
【０１３１】
図１３に説明されるホスト・コンピュータ１３１０、基地局１３２０、及びＵＥ１３３０は、それぞれ、図１２のホスト・コンピュータ１２３０、基地局１２１２ａ、１２１２ｂ、１２１２ｃのうちの１つ、及びＵＥ１２９１、１２９２のうちの１つと同様又は同一でありうることに留意されたい。すなわち、これらのエンティティの内部動作は図１３に示すようであってもよく、独立して、周囲のネットワーク・トポロジは、図１２のものであってもよい。
【０１３２】
図１３で、ＯＴＴ接続１３５０を抽象的に描いて、基地局１３２０を介したホスト・コンピュータ１３１０とＵＥ１３３０との間の通信を示しているが、いかなる中間デバイスも明示的に参照せず、これらのデバイスを介したメッセージの正確なルーティングも示していない。ネットワーク・インフラストラクチャはルーティングを決定することができ、これは、ＵＥ１３３０から、又はホスト・コンピュータ１３１０を動作するサービス・プロバイダから、あるいはその両方から隠すように構成されうる。ＯＴＴ接続１３５０がアクティブである間、ネットワーク・インフラストラクチャは、ルーティングを動的に（例えば、負荷分散の考慮又はネットワークの再構成に基づいて）変更する決定をさらに行うことができる。
【０１３３】
ＵＥ１３３０と基地局１３２０との間のワイヤレス接続１３７０は、本開示全体にわたって説明される実施形態の教示に従う。様々な実施形態のうちの１つ以上は、ワイヤレス接続１３７０が最後のセグメントを形成するＯＴＴ接続１３５０を使用して、ＵＥ１３３０に提供されるＯＴＴサービスの性能を改善する。より正確には、これらの実施形態の教示は、ＵＬ  ＵＲＬＬＣトラフィック及びｅＭＢＢトラフィックの多重化を効率化しうる。
【０１３４】
１つ以上の実施形態が改善するデータ速度、レンテンシ、及び他の要因を監視する目的で、測定手順を提供できる。さらに、測定結果の変動に応じて、ホスト・コンピュータ１３１０とＵＥ１３３０との間のＯＴＴ接続１３５０を再構成するためのオプションのネットワーク機能が存在しうる。ＯＴＴ接続１３５０を再構成するための測定手順及び／又はネットワーク機能は、ホスト・コンピュータ１３１０のソフトウェア１３１１及びハードウェア１３１５、又はＵＥ１３３０のソフトウェア１３３１及びハードウェア１３３５、あるいはその両方で実現できる。実施形態で、ＯＴＴ接続１３５０が通過する通信デバイス内に、又はそれに関連してセンサ（図示せず）が配置されうる。センサは上記で例示された監視量の値を供給することによって、又はソフトウェア１３１１、１３３１が監視量を計算又は推定できる他の物理量の値を供給することによって、測定手順に参加できる。ＯＴＴ接続１３５０の再構成は、メッセージ・フォーマット、再送信設定、好ましいルーティングなどを含むことができ、再構成は、基地局１３２０に影響を及ぼす必要はなく、基地局１３２０には知られていないか、又は知覚できないことがある。このような手順及び機能は当技術分野で既知であり、実施されうる。所定の実施形態で、測定は、スループット、伝搬時間、レイテンシなどのホスト・コンピュータ１３１０による測定を容易にする独自のＵＥシグナリングを含みうる。測定は、ソフトウェア１３１１及び１３３１が伝搬時間、エラーなどを監視しながら、ＯＴＴ接続１３５０を使用して、メッセージ、特に空又は「ダミー」メッセージを送信させることによって実施されうる。
【０１３５】
図１４は、一実施形態による、通信システムにおいて実施される方法を示すフローチャートである。通信システムは、ホスト・コンピュータと、基地局と、ＵＥとを含み、これらは、図１２及び図１３を参照して説明されたものでありうる。本開示を簡単にするために、図１４に対する図面参照のみがこのセクションに含まれる。ステップ１４１０において、ホスト・コンピュータは、ユーザ・データを提供する。ステップ１４１０のサブステップ１４１１（オプションでありうる）において、ホスト・コンピュータは、ホスト・アプリケーションを実行することによって、ユーザ・データを提供する。ステップ１４２０において、ホスト・コンピュータは、ＵＥへユーザ・データを伝える送信を開始する。ステップ１４３０（オプションでありうる）において、基地局は、本開示全体にわたって説明される実施形態の教示に従って、ホスト・コンピュータが開始した送信において伝えられたユーザ・データをＵＥへ送信する。ステップ１４４０（これもオプションでありうる）において、ＵＥは、ホスト・コンピュータによって実行されるホスト・アプリケーションに関連するクライアント・アプリケーションを実行する。
【０１３６】
図１５は、一実施形態による、通信システムにおいて実施される方法を示すフローチャートである。通信システムは、ホスト・コンピュータ、基地局、及びＵＥを含み、これらは図１２及び図１３を参照して説明したものでありうる。本開示を簡単にするために、図１５に対する図面参照のみがこのセクションに含まれる。方法のステップ１５１０において、ホスト・コンピュータは、ユーザ・データを提供する。オプションのサブステップ（図示せず）で、ホスト・コンピュータは、ホスト・アプリケーションを実行することによってユーザ・データを提供する。ステップ１５２０において、ホスト・コンピュータは、ＵＥへユーザ・データを伝える送信を開始する。送信は、本開示全体にわたって説明される実施形態の教示に従って、基地局を介して渡されうる。ステップ１５３０（オプションでありうる）において、ＵＥは、送信において伝えられたユーザ・データを受信する。
【０１３７】
図１６は、一実施形態による、通信システムにおいて実施される方法を示すフローチャートである。通信システムは、ホスト・コンピュータ、基地局、及びＵＥを含み、これらは図１２及び図１３を参照して説明したものでありうる。本開示を簡単にするために、図１６に対する図面参照のみがこのセクションに含まれる。ステップ１６１０（オプションでありうる）において、ＵＥは、ホスト・コンピュータによって提供された入力データを受信する。さらに又は代替的に、ステップ１６２０において、ＵＥは、ユーザ・データを提供する。ステップ１６２０のサブステップ１６２１（オプションでありうる）において、ＵＥは、クライアント・アプリケーションを実行することによって、ユーザ・データを提供する。ステップ１６１０のサブステップ１６１１（オプションでありうる）において、ＵＥは、ホスト・コンピュータによって提供された受信入力データに応じてユーザ・データを提供するクライアント・アプリケーションを実行する。ユーザ・データを提供する際に、実行されたクライアント・アプリケーションは、ユーザから受け取ったユーザ入力をさらに考慮できる。ユーザ・データが提供された特定の方法にかかわらず、ＵＥは、サブステップ１６３０（オプションでありうる）において、ユーザ・データのホスト・コンピュータへの送信を開始する。本方法のステップ１６４０において、ホスト・コンピュータは、本開示全体にわたって説明される実施形態の教示に従って、ＵＥから送信されたユーザ・データを受信する。
【０１３８】
図１７は、一実施形態による、通信システムにおいて実施される方法を示すフローチャートである。通信システムは、ホスト・コンピュータ、基地局、及びＵＥを含み、これらは図１２及び図１３を参照して説明したものでありうる。本開示を簡単にするために、図１７を参照する図面のみがこのセクションに含まれる。ステップ１７１０（オプションでありうる）で、本開示全体にわたって説明される実施形態の教示に従って、基地局は、ＵＥからユーザ・データを受信する。ステップ１７２０（オプションでありうる）で、基地局は、受信したユーザ・データのホスト・コンピュータへの送信を開始する。ステップ１７３０（オプションでありうる）において、ホスト・コンピュータは、基地局によって開始された送信において伝えられたユーザ・データを受信する。
【０１３９】
本書で開示される任意の適切なステップ、方法、特徴、機能、又は利益は、１つ以上の仮想装置の１つ以上の機能ユニット又はモジュールを介して実行されうる。各仮想装置は、これらの機能ユニットのうちのいくつかを備えうる。これらの機能ユニットは、１つ以上のマイクロプロセッサ又はマイクロコントローラを含みうる処理回路、ならびにデジタル・シグナル・プロセッサ（ＤＳＰ）、専用デジタル・ロジックを含みうる他のデジタル・ハードウェアを介して実装されうる。処理回路は、リード・オンリ・メモリ（ＲＯＭ）、ランダム・アクセス・メモリ（ＲＡＭ）、キャッシュ・メモリ、フラッシュ・メモリ・デバイス、光記憶デバイスなどのような１つ以上のタイプのメモリを含みうるメモリに記憶されたプログラム・コードを実行するように構成されうる。メモリに記憶されたプログラム・コードは、１つ以上の電気通信及び／又はデータ通信プロトコルを実行するためのプログラム命令、ならびに本書で説明される技術のうちの１つ以上を実行するための命令を含む。いくつかの実装では、処理回路は、本開示の１つ以上の実施形態に従って、それぞれの機能ユニットに、対応する機能を行わせるために使用されうる。
【０１４０】
図１８は、いくつかの実施形態による、ワイヤレス・デバイスによって実行されるプロセス１８００を説明するフローチャートである。プロセス１８００は、ワイヤレス・デバイスがネットワーク・ノードによって送信された集約アップリンク（ＵＬ）情報を受信するステップｓ１８０２で始まってもよく、オプションとして、集約ＵＬ情報は、集約周波数領域リソース及び集約時間領域リソースのインジケーションを備える。ステップｓ１８０４において、ワイヤレス・デバイスは、集約ＵＬ情報に基づいてＵＬ送信を構成する。
【０１４１】
いくつかの実施形態では、集約ＵＬ情報に基づいてＵＬ送信を構成するステップは、ＵＬ送信について、集約周波数領域リソース及び集約時間領域リソース以外の周波数及び時間領域リソースを利用することを含む。
【０１４２】
いくつかの実施形態では、集約ＵＬ情報に基づいてＵＬ送信を構成するステップは、集約周波数及び時間領域リソースに重複する周波数及び時間領域リソースを利用するようにスケジュールされたＵＬ送信の部分を識別することと、ＵＬ送信の識別された部分を除去することとを有する。
【０１４３】
いくつかの実施形態では、集約ＵＬ情報に基づいてＵＬ送信を構成するステップは、ＵＥに割り当てられた集約周波数及び時間領域リソースの一部を識別することと、ＵＬ送信について、（１）集約周波数及び時間領域リソースの識別された部分、及び／又は（２）集約周波数及び時間領域リソース以外の周波数及び時間領域リソース、を利用することとを有する。
【０１４４】
いくつかの実施形態では、集約ＵＬ情報は、２つ以上のＵＥについてのＵＬ構成のリストを備える。いくつかの実施形態では、集約ＵＬ情報は、所定の基準に従って、２つ以上のＵＥについてのＵＬ構成をソートすることを含む。いくつかの実施形態では、２つ以上のＵＥのそれぞれがＵＲＬＬＣ送信可能である。いくつかの実施形態では、集約周波数及び時間領域リソースは、ＵＲＬＬＣ送信のために予約される。
【０１４５】
図１９は、いくつかの実施形態による、ワイヤレス・デバイスによって実行されるプロセス１９００を説明するフローチャートである。プロセス１９００は、ワイヤレス・デバイスがアップリンク（ＵＬ）構成をネットワーク・ノードへ送信するステップｓ１９０２で始まり、アップリンク構成は、第２ＵＥからの第２ＵＬ構成とともに集約情報に集約されるためのものである。
【０１４６】
図２０は、いくつかの実施形態による、ネットワーク・ノードによって実行されるプロセス２０００を説明するフローチャートである。プロセス２０００は、ネットワーク・ノードが第１ユーザ機器（ＵＥ）についての第１アップリンク（ＵＬ）構成及び第２ＵＥについての第２ＵＬ構成を取得するステップｓ２００２から始まりうる。ステップｓ２００４において、ネットワーク・ノードは、第１ＵＬ構成及び第２ＵＬ構成を集約して、集約情報を形成する。ステップｓ２００６において、ネットワーク・ノードは、集約情報を送信し、オプションとして、集約情報は、集約周波数領域リソース及び集約時間領域リソースのインジケーションを含む。
【０１４７】
いくつかの実施形態では、第１ＵＬ構成及び第２ＵＬ構成を集約するステップは、第１ＵＬ構成及び第２ＵＬ構成をリストすることを含む。いくつかの実施形態では、第１及び第２ＵＬ構成のそれぞれは、周期性、構成された反復の数、時間領域リソース割り当て、及び周波数領域リソース割り当てのうちの１つ以上をオプションで含みうる１つ以上のパラメータを備える。
【０１４８】
いくつかの実施形態では、第１ＵＬ構成及び第２ＵＬ構成を集約するステップは、所定の基準に従って、第１ＵＬ構成及び第２ＵＬ構成をソートすることを含み、これによって、１つ以上の集約ＵＬ構成を形成する。いくつかの実施形態では、１つ以上の集約ＵＬ構成は、周期性、構成された反復の数、時間領域リソース割り当て、及び周波数領域リソース割り当てのうちの１つ以上をオプションで含みうる１つ以上のパラメータを備える。
【０１４９】
いくつかの実施形態では、集約情報を送信するステップは、ネットワーク・ノードによって提供されるセルへ集約情報をブロードキャストすることと、ＵＥのグループへ集約情報をマルチキャストすることと、及び／又は個別のＵＥへ集約情報を送信することと、を含む。
【０１５０】
いくつかの実施形態では、集約周波数及び時間領域リソースは、超高信頼低遅延通信（ＵＲＬＬＣ）送信のために予約される。いくつかの実施形態では、第１及び第２ＵＥのそれぞれは、ＵＲＬＬＣ送信可能である。
【０１５１】
図２１は、ワイヤレス・ネットワーク（例えば、図９に示されるワイヤレス・ネットワーク）における装置２１００の概略ブロック図を示す。装置はワイヤレス・デバイス又はネットワーク・ノード（例えば、図９に示されるワイヤレス・デバイス９１０又はネットワーク・ノード９６０）において実装されうる。装置２１００は、図１８を参照して説明された例示的な方法、及び場合によっては本書で開示された任意の他のプロセス又は方法を実行するように動作可能である。図１８の方法は、必ずしも装置２１００によってのみ実行されるわけではないことも理解されるべきである。本方法の少なくともいくつかの動作は、１つ以上の他のエンティティによって実行されうる。
【０１５２】
仮想装置２１００は、１つ以上のマイクロプロセッサ又はマイクロコントローラを含みうる処理回路、ならびにデジタル・シグナル・プロセッサ（ＤＳＰ）、専用デジタル・ロジックを含みうる他のデジタル・ハードウェアを介して実装されうる。処理回路は、リード・オンリ・メモリ（ＲＯＭ）、ランダム・アクセス・メモリ、キャッシュ・メモリ、フラッシュ・メモリ・デバイス、光記憶デバイスなどのような１つ以上のタイプのメモリを含みうるメモリに記憶されたプログラム・コードを実行するように構成されうる。メモリに記憶されたプログラム・コードは、１つ以上の電気通信及び／又はデータ通信プロトコルを実行するためのプログラム命令、ならびにいくつかの実施形態で本書で説明される技術のうちの１つ以上を実行するための命令を含む。いくつかの実装では、処理回路は、本開示の１つ以上の実施形態に従って、受信部２１０１及び構成部２１０４ならびに装置２１００の任意の他の適切なユニットに、対応する機能を行わせるために使用されうる。
【０１５３】
図２１に説明されるように、装置２１００は、ネットワーク・ノードによって送信された集約アップリンク（ＵＬ）情報を受信するように構成された受信部２１０２であって、オプションとして、集約ＵＬ情報は、集約周波数領域リソース及び集約時間領域リソースのインジケーションを含む、受信部２１０２と、集約ＵＬ情報に基づいてＵＬ送信を構成するように構成された構成部２１０４とを含む。
【０１５４】
図２２は、ワイヤレス・ネットワーク（例えば、図９に示されるワイヤレス・ネットワーク）における装置２２００の概略ブロック図を示す。装置はワイヤレス・デバイス又はネットワーク・ノード（例えば、図９に示されるワイヤレス・デバイス９１０又はネットワーク・ノード９６０）において実装されうる。装置２２００は、図１９を参照して説明された例示的な方法、及び場合によっては本書で開示された任意の他のプロセス又は方法を実行するように動作可能である。図１９の方法は、必ずしも装置２２００によってのみ実行されるわけではないことも理解されるべきである。本方法の少なくともいくつかの動作は、１つ以上の他のエンティティによって実行されうる。
【０１５５】
仮想装置２２００は、１つ以上のマイクロプロセッサ又はマイクロコントローラを含みうる処理回路、ならびにデジタル・シグナル・プロセッサ（ＤＳＰ）、専用デジタル・ロジックを含みうる他のデジタル・ハードウェアを介して実装されうる。処理回路は、リード・オンリ・メモリ（ＲＯＭ）、ランダム・アクセス・メモリ、キャッシュ・メモリ、フラッシュ・メモリ・デバイス、光記憶デバイスなどのような１つ以上のタイプのメモリを含みうるメモリに記憶されたプログラム・コードを実行するように構成されうる。メモリに記憶されたプログラム・コードは、１つ以上の電気通信及び／又はデータ通信プロトコルを実行するためのプログラム命令、ならびにいくつかの実施形態で本書で説明される技術のうちの１つ以上を実行するための命令を含む。いくつかの実装では、処理回路は、本開示の１つ以上の実施形態に従って、送信部２２０２及び装置２２００の任意の他の適切なユニットに、対応する機能を行わせるために使用されうる。
【０１５６】
図２２に説明されるように、装置２２００は、アップリンク（ＵＬ）構成をネットワーク・ノードへ送信するように構成された送信部２２０２を含み、アップリンク構成は、第２ＵＥからの第２ＵＬ構成とともに集約情報に集約されるためのものである。
【０１５７】
図２３は、ワイヤレス・ネットワーク（例えば、図９に示されるワイヤレス・ネットワーク）における装置２３００の概略ブロック図を示す。装置はワイヤレス・デバイス又はネットワーク・ノード（例えば、図９に示されるワイヤレス・デバイス９１０又はネットワーク・ノード９６０）において実装されうる。装置２３００は、図２０を参照して説明された例示的な方法、及び場合によっては本書で開示された任意の他のプロセス又は方法を実行するように動作可能である。図２０の方法は、必ずしも装置２３００によってのみ実行されるわけではないことも理解されるべきである。本方法の少なくともいくつかの動作は、１つ以上の他のエンティティによって実行されうる。
【０１５８】
仮想装置２３００は、１つ以上のマイクロプロセッサ又はマイクロコントローラを含みうる処理回路、ならびにデジタル・シグナル・プロセッサ（ＤＳＰ）、専用デジタル・ロジックを含みうる他のデジタル・ハードウェアを介して実装されうる。処理回路は、リード・オンリ・メモリ（ＲＯＭ）、ランダム・アクセス・メモリ、キャッシュ・メモリ、フラッシュ・メモリ・デバイス、光記憶デバイスなどのような１つ以上のタイプのメモリを含みうるメモリに記憶されたプログラム・コードを実行するように構成されうる。メモリに記憶されたプログラム・コードは、１つ以上の電気通信及び／又はデータ通信プロトコルを実行するためのプログラム命令、ならびにいくつかの実施形態で本書で説明される技術のうちの１つ以上を実行するための命令を含む。いくつかの実装では、処理回路は、本開示の１つ以上の実施形態に従って、送信部２３０２、集約部２３０６、及び装置２３００の任意の他の適切なユニットに、対応する機能を行わせるために使用されうる。
【０１５９】
図２３に説明されるように、装置２３００は、第１ユーザ機器（ＵＥ）についての第１アップリンク（ＵＬ）構成及び第２ＵＥについての第２ＵＬ構成を取得するように構成された取得部２３０２と、集約情報を形成するために第１ＵＬ及び第２ＵＬ構成を集約するように構成された集約部２３０４と、集約情報を送信するための送信部２３０６とを含み、オプションとして、集約情報は、集約周波数領域リソース及び集約時間領域リソースのインジケーションを備える。
【０１６０】
ユニットという用語は電子機器、電気デバイス、及び／又は電子デバイスの分野において従来の意味を有してもよく、例えば、本書で説明されるような、電気及び／又は電子回路、デバイス、モジュール、プロセッサ、メモリ、ロジック・ソリッド・ステート及び／又はディスクリート・デバイス、それぞれのタスク、プロシージャ、演算、出力、及び／又は表示機能などを実行するためのコンピュータ・プログラム又は命令を含みうる。
【０１６１】
実施形態のいくつかの簡潔な説明
【０１６２】
グループＡの実施形態−ワイヤレス・デバイス
【０１６３】
Ａ１．ワイヤレス・デバイスによって実行される方法であって、ネットワーク・ノードによって送信された集約アップリンク（ＵＬ）情報を受信することであって、オプションとして、前記集約ＵＬ情報は、集約周波数領域リソース及び集約時間領域リソースのインジケーションを有する、ことと、前記集約ＵＬ情報に基づいてＵＬ送信を構成することと、を有する方法。
【０１６４】
Ａ２．Ａ１に記載の方法であって、前記集約ＵＬ情報に基づいてＵＬ送信を構成することは、前記ＵＬ送信のために、前記集約周波数領域リソース及び前記集約時間領域リソース以外の周波数及び時間領域リソースを利用することを含む、方法。
【０１６５】
Ａ３．Ａ１又はＡ２に記載の方法であって、前記集約ＵＬ情報に基づいてＵＬ送信を構成することは、前記集約周波数及び時間領域リソースに重複する周波数及び時間領域リソースを利用するようにスケジュールされた前記ＵＬ送信の部分を識別することと、前記ＵＬ送信の前記識別された部分を除去することと、を含む、方法。
【０１６６】
Ａ４．Ａ１に記載の方法であって、前記集約ＵＬ情報に基づいてＵＬ送信を構成することは、前記ＵＥに割り当てられた前記集約周波数及び時間領域リソースの部分を識別することと、前記ＵＬ送信のために、（１）前記集約周波数及び時間領域リソースの前記識別された部分、及び／又は（２）前記集約周波数及び時間領域リソース以外の周波数及び時間領域リソース、を利用することと、を含む、方法。
【０１６７】
Ａ５．Ａ１〜Ａ４のいずれか１つに記載の方法であって、前記集約ＵＬ情報は、２つ以上のＵＥについてのＵＬ構成のリストを含む、方法。
【０１６８】
Ａ６．Ａ１〜Ａ５のいずれか１つに記載の方法であって、前記集約ＵＬ情報は、所定の基準に従ってソートされた、２つ以上のＵＥについてのＵＬ構成を含む、方法。
【０１６９】
Ａ７．Ａ６に記載のＡ５に記載の方法であって、前記２つ以上のＵＥのそれぞれは、ＵＲＬＬＣ送信可能である、方法。
【０１７０】
Ａ８．Ａ１〜Ａ７に記載の方法であって、前記集約周波数及び時間領域リソースは、ＵＲＬＬＣ送信のために予約される、方法。
【０１７１】
Ａ９．ワイヤレス・デバイスによって実行される方法であって、アップリンク（ＵＬ）構成をネットワーク・ノードへ送信することのうちの少なくとも１つを有し、前記アップリンク構成は、第２ＵＥからの第２ＵＬ構成とともに集約情報に集約されるためのものである、方法。
【０１７２】
Ａ１０．前述の実施形態のいずれかに記載の方法であって、ユーザ・データを提供することと、前記基地局への前記送信を介してユーザ・データをホスト・コンピュータへ転送することと、をさらに有する、方法。
【０１７３】
グループＢの実施形態‐基地局  Ｂ１．基地局によって実行される方法であって、第１ユーザ装置（ＵＥ）についての第１アップリンク（ＵＬ）構成及び第２ＵＥについての第２ＵＬ構成を取得することと、集約情報を形成するために前記第１ＵＬ及び前記第２ＵＬ構成を集約することと、前記集約情報を送信することと、のうちの少なくとも１つを有し、オプションとして、前記集約情報は、集約周波数領域リソース及び集約時間領域リソースのインジケーションを含む、方法。
【０１７４】
Ｂ２．Ｂ１に記載の方法であって、前記第１ＵＬ構成及び前記第２ＵＬ構成を集約することは、前記第１ＵＬ構成及び前記第２ＵＬ構成をリストすることを含む、方法。
【０１７５】
Ｂ３．Ｂ１又はＢ２に記載の方法であって、前記第１及び第２ＵＬ構成のそれぞれは、周期性、構成された反復の数、時間領域リソース割り当て、及び周波数領域リソース割り当てのうちの１つ以上をオプションで含みうる１つ以上のパラメータを含む、方法。
【０１７６】
Ｂ４．Ｂ１に記載の方法であって、前記第１ＵＬ構成及び第２ＵＬ構成を集約することは、所定の基準に従って前記第１ＵＬ構成及び前記第２ＵＬ構成をソートし、それによって、１つ以上の集約ＵＬ構成を形成することを含む、方法。
【０１７７】
Ｂ５．Ｂ４に記載の方法であって、前記１つ以上の集約ＵＬ構成は、周期性、構成された反復の数、時間領域リソース割り当て、及び周波数領域リソース割り当てのうちの１つ以上をオプションで含みうる１つ以上のパラメータを含む、方法。
【０１７８】
Ｂ６．Ｂ１〜Ｂ５のいずれか１つに記載の方法であって、前記集約情報を送信することは、前記ネットワーク・ノードによって提供されるセルへ前記集約情報をブロードキャストすることと、ＵＥのグループへ前記集約情報をマルチキャストすることと、個別のＵＥへ前記集約情報を送信することと、のうちの少なくとも１つを含む、方法。
【０１７９】
Ｂ７．Ｂ１〜Ｂ６のいずれか１つに記載の方法であって、前記集約周波数及び時間領域リソースは、超高信頼低遅延通信（ＵＲＬＬＣ）送信のために予約される、方法。
【０１８０】
Ｂ８．Ｂ１〜Ｂ７のいずれか１つに記載の方法であって、前記第１及び第２ＵＥのそれぞれは、ＵＲＬＬＣ送信可能である、方法。
【０１８１】
Ｂ９．前述の実施形態のいずれかに記載の方法であって、ユーザ・データを取得することと、前記ユーザ・データをホスト・コンピュータ又はワイヤレス・デバイスへ転送することと、をさらに有する、方法。
【０１８２】
グループＣの実施形態  Ｃ１．グループＡの実施形態のいずれかのステップのいずれかを実行するように構成された処理回路と、ワイヤレス・デバイスへ電力を供給するように構成された電源回路と、を備える、ワイヤレス・デバイス。
【０１８３】
Ｃ２．グループＢの実施形態のいずれかのステップのいずれかを実行するように構成された処理回路と、ワイヤレス・デバイスへ電力を供給するように構成された電源回路と、を備える、ネットワーク・ノード。
【０１８４】
Ｃ３．ワイヤレス信号を送受信するように構成されたアンテナと、前記アンテナ及び処理回路に接続され、前記アンテナと前記処理回路との間で通信される信号を調整するように構成された無線フロントエンド回路であって、前記処理回路は、グループＡの実施形態のいずれかのステップのいずれかを実行するように構成される、無線フロントエンド回路と、前記処理回路に接続され、前記ＵＥへの情報の入力が前記処理回路によって処理されることを可能にするように構成された入力インタフェースと、前記処理回路に接続され、前記処理回路によって処理された前記ＵＥからの情報を出力するように構成された出力インタフェースと、前記処理回路に接続され、前記ＵＥへ電力を供給するように構成されたバッテリと、を備えるユーザ機器（ＵＥ）。
【０１８５】
Ｃ４．ユーザ・データを提供するように構成された処理回路と、ユーザ機器（ＵＥ）へ送信するために前記ユーザ・データをセルラ・ネットワークへ転送するように構成された通信インタフェースと、を備えるホスト・コンピュータを含む通信システムであって、前記セルラ・ネットワークは、無線インタフェース及び処理回路を有する基地局を備え、前記基地局の処理回路は、グループＢの実施形態のいずれかのステップのいずれかを実行するように構成される、通信システム。
【０１８６】
Ｃ５．前記基地局をさらに含む上述の実施形態の通信システム。
【０１８７】
Ｃ６．前述の２つの実施形態の通信システムであって、前記ＵＥをさらに含み、前記ＵＥは、前記基地局と通信するように構成される、通信システム。
【０１８８】
Ｃ７．前述の３つの実施形態に記載の通信システムであって、前記ホスト・コンピュータの前記処理回路は、ホスト・アプリケーションを実行し、それによって前記ユーザ・データを提供するように構成され、前記ＵＥは、前記ホスト・アプリケーションに関連付けられたクライアント・アプリケーションを実行するように構成された処理回路を備える、通信システム。
【０１８９】
Ｃ８．ホスト・コンピュータ、基地局、及びユーザ機器（ＵＥ）を含む通信システムにおいて実施される方法であって、前記ホスト・コンピュータにおいて、ユーザ・データを提供することと、前記ホスト・コンピュータにおいて、前記基地局を備えるセルラ・ネットワークを介して前記ＵＥへ前記ユーザ・データを搬送する送信を開始することと、を有し、前記基地局は、グループＢの実施形態のいずれかのステップのいずれかを実行する、方法。
【０１９０】
Ｃ９．前述の実施形態の方法であって、前記基地局において、前記ユーザ・データを送信することをさらに有する、方法。
【０１９１】
Ｃ１０．前述の２つの実施形態の方法であって、前記ユーザ・データは、ホスト・アプリケーションを実行することによって、前記ホスト・コンピュータにおいて提供され、前記方法は、前記ＵＥにおいて、前記ホスト・アプリケーションに関連するクライアント・アプリケーションを実行することをさらに有する、方法。
【０１９２】
Ｃ１１．基地局と通信するように構成されたユーザ機器（ＵＥ）であって、前記ＵＥは、無線インタフェースと、前述の３つの実施形態を実行するように構成された処理回路と、を備える、ユーザ機器（ＵＥ）。
【０１９３】
Ｃ１２．ユーザ・データを提供するように構成された処理回路と、ユーザ機器（ＵＥ）へ送信するためにユーザ・データをセルラ・ネットワークへ転送するように構成された通信インタフェースと、を備えるホスト・コンピュータを含む通信システムであって、前記ＵＥは、無線インタフェース及び処理回路を備え、前記ＵＥのコンポーネントは、グループＡの実施形態のいずれかのステップのいずれかを実行するように構成される、通信システム。
【０１９４】
Ｃ１３．前述の実施形態の通信システムであって、前記セルラ・ネットワークは、前記ＵＥと通信するように構成された基地局をさらに含む、通信システム。
【０１９５】
Ｃ１４．前述の２つの実施形態に記載の通信システムであって、前記ホスト・コンピュータの前記処理回路は、ホスト・アプリケーションを実行し、それによって前記ユーザ・データを提供するように構成され、前記ＵＥの前記処理回路は、前記ホスト・アプリケーションに関連付けられたクライアント・アプリケーションを実行するように構成される、通信システム。
【０１９６】
Ｃ１５．ホスト・コンピュータ、基地局、及びユーザ機器（ＵＥ）を含む通信システムにおいて実施される方法であって、前記ホスト・コンピュータにおいて、ユーザ・データを提供することと、前記ホスト・コンピュータにおいて、前記基地局を備えるセルラ・ネットワークを介して前記ユーザ・データを前記ＵＥへ搬送する送信を開始することと、を有し、前記ＵＥは、グループＡの実施形態のいずれかのステップのいずれかを実行する、方法。
【０１９７】
Ｃ１６．前述の実施形態の方法であって、前記ＵＥにおいて、前記基地局から前記ユーザ・データを受信することをさらに有する、方法。
【０１９８】
Ｃ１７．ユーザ機器（ＵＥ）から基地局への送信から生じるユーザ・データを受信するように構成された通信インタフェースを備えるホスト・コンピュータを含む通信システムであって、前記ＵＥは、無線インタフェース及び処理回路を備え、前記ＵＥの処理回路は、グループＡの実施形態のいずれかのステップのいずれかを実行するように構成される、通信システム。
【０１９９】
Ｃ１８．前述の実施形態の通信システムであって、前記ＵＥをさらに有する、通信システム。
【０２００】
Ｃ１９．前述の２つの実施形態の通信システムであって、前記基地局をさらに含み、前記基地局は、前記ＵＥと通信するように構成された無線インタフェースと、前記ＵＥから前記基地局への送信によって搬送された前記ユーザ・データを前記ホスト・コンピュータへ転送するように構成された通信インタフェースと、を備える、通信システム。
【０２０１】
Ｃ２０．前述の３つの実施形態に記載の通信システムであって、前記ホスト・コンピュータの前記処理回路は、ホスト・アプリケーションを実行するように構成され、前記ＵＥの前記処理回路は、前記ホスト・アプリケーションに関連付けられたクライアント・アプリケーションを実行し、それによって、前記ユーザ・データを提供するように構成される、通信システム。
【０２０２】
Ｃ２１．前述の４つの実施形態に記載の通信システムであって、前記ホスト・コンピュータの前記処理回路は、ホスト・アプリケーションを実行し、それによって要求データを提供するように構成され、前記ＵＥの処理回路は、前記ホスト・アプリケーションに関連付けられたクライアント・アプリケーションを実行し、それによって前記要求データに応答する前記ユーザ・データを提供するように構成される、通信システム。
【０２０３】
Ｃ２２．ホスト・コンピュータ、基地局、及びユーザ機器（ＵＥ）を含む通信システムにおいて実施される方法であって、前記ホスト・コンピュータにおいて、前記ＵＥから前記基地局へ送信されたユーザ・データを受信することを有し、前記ＵＥは、グループＡの実施形態のいずれかのステップのいずれかを実行する、方法。
【０２０４】
Ｃ２３．前述の実施形態に記載の方法であって、前記ＵＥにおいて、前記ユーザ・データを前記基地局へ提供することをさらに有する、方法。
【０２０５】
Ｃ２４．前述の２つの実施形態に記載の方法であって、前記ＵＥにおいて、クライアント・アプリケーションを実行し、それによって、送信される前記ユーザ・データを提供することと、前記ホスト・コンピュータにおいて、前記クライアント・アプリケーションに関連するホスト・アプリケーションを実行することを、をさらに有する、方法。
【０２０６】
Ｃ２５．前述の３つの実施形態に記載の方法であって、前記ＵＥにおいて、クライアント・アプリケーションを実行することと、前記ＵＥにおいて、前記クライアント・アプリケーションへの入力データを受信することであって、前記入力データは、前記クライアント・アプリケーションに関連するホスト・アプリケーションを実行することによって前記ホスト・コンピュータで提供される、ことと、をさらに有し、送信される前記ユーザ・データは、前記入力データに応答して前記クライアント・アプリケーションによって提供される、方法。
【０２０７】
Ｃ２６．ユーザ機器（ＵＥ）から基地局への送信から生じるユーザ・データを受信するように構成された通信インタフェースを備えるホスト・コンピュータを含む通信システムであって、前記基地局は、無線インタフェース及び処理回路を備え、前記基地局の処理回路は、グループＢの実施形態のいずれかのステップのいずれかを実行するように構成される、通信システム。
【０２０８】
Ｃ２７．前述の実施形態に記載の通信システムであって、前記基地局をさらに含む、通信システム。
【０２０９】
Ｃ２８．前述の２つの実施形態に記載の通信システムであって、前記ＵＥをさらに含み、前記ＵＥは、前記基地局と通信するように構成される、通信システム。
【０２１０】
Ｃ２９．前述の３つの実施形態に記載の通信システムであって、前記ホスト・コンピュータの前記処理回路は、ホスト・アプリケーションを実行するように構成され、前記ＵＥは、前記ホスト・アプリケーションに関連するクライアント・アプリケーションを実行し、それによって、前記ホスト・コンピュータによって受信される前記ユーザ・データを提供するように構成される、通信システム。
【０２１１】
Ｃ３０．ホスト・コンピュータと、基地局と、ユーザ機器（ＵＥ）とを含む通信システムにおいて実施される方法であって、前記ホスト・コンピュータにおいて、前記基地局が前記ＵＥから受信した送信に由来するユーザ・データを前記基地局から受信することを有し、前記ＵＥは、グループＡの実施形態のいずれかのステップのいずれかを実行する、方法。
【０２１２】
Ｃ３１．前述の実施形態に記載の方法であって、前記基地局において、前記ＵＥから前記ユーザ・データを受信することをさらに有する、方法。
【０２１３】
Ｃ３２．前述の２つの実施形態に記載の方法であって、前記基地局において、前記ホスト・コンピュータへの前記受信されたユーザ・データの送信を開始することをさらに有する、方法。
【０２１４】
本開示の様々な実施形態が本書に記載されているが、それらは限定ではなく、例としてのみ提示されていることを理解されたい。したがって、本開示の幅及び範囲は、上述の例示的な実施形態のいずれによっても限定されるべきではない。さらに、本書で別段に示されない限り、又は文脈によって明らかに矛盾しない限り、そのすべての可能な変形における上述の要素の任意の組合せが、本開示に包含される。
【０２１５】
さらに、上記で説明され、図面に示されたプロセスは一連のステップとして示されているが、これは単に例示のために行われたものである。したがって、いくつかのステップが追加されてもよく、いくつかのステップが省略されてもよく、ステップの順序が再配置されてもよく、いくつかのステップが並列に実行されてもよいことが企図される。
【０２１６】
略語
【０２１７】
この開示では、以下の略語の少なくともいくつかが使用されうる。略語間に不一致がある場合に、それが上記でどのように使用されるかが優先されるべきである。以下に複数回列挙される場合、最初の列挙は、その後の任意の列挙よりも優先されるべきである。
１ｘ  ＲＴＴ        ＣＤＭＡ２０００  １ｘ  無線送信技術
３ＧＰＰ            第３世代パートナーシップ・プロジェクト
５Ｇ                第５世代
ＡＢＳ              オールモスト・ブランク・サブフレーム
ＡＲＱ              自動再送要求
ＡＷＧＮ            加法性白色ガウス雑音
ＢＣＣＨ            ブロードキャスト制御チャネル
ＢＣＨ              ブロードキャスト・チャネル
ＣＡ                キャリア・アグリゲーション
ＣＣ                キャリア・コンポーネント
ＣＣＣＨ  ＳＤＵ    共通制御チャネルＳＤＵ
ＣＤＭＡ            符号分割多元接続
ＣＧＩ              セル・グローバル識別子
ＣＩＲ              チャネル・インパルス応答
ＣＰ                サイクリック・プレフィックス
ＣＰＩＣＨ          共通パイロット・チャネル
ＣＰＩＣＨ  Ｅｃ／Ｎｏ  チップ当たりのＣＰＩＣＨ受信エネルギーを帯域内の電力密度で割った値
ＣＱＩ              チャネル品質情報
Ｃ−ＲＮＴＩ        セルＲＮＴＩ
ＣＳＩ              チャネル状態情報
ＤＣＣＨ            専用制御チャネル
ＤＬ                ダウンリンク
ＤＭ                復調
ＤＭＲＳ            復調基準信号
ＤＲＸ              間欠受信
ＤＴＸ              間欠送信
ＤＴＣＨ            専用トラフィック・チャネル
ＤＵＴ              被試験デバイス
Ｅ−ＣＩＤ          発展型セルＩＤ（測位方式）
Ｅ−ＳＭＬＣ        発展型サービング・モバイル・ロケーション・センタ
ＥＣＧＩ            発展型ＣＧＩ
ｅＮＢ              Ｅ−ＵＴＲＡＮ  ノードＢ
ｅＰＤＣＣＨ        発展型物理ダウンリンク制御チャネル
Ｅ−ＳＭＬＣ        発展型サービング・モバイル・ロケーション・センタ
Ｅ−ＵＴＲＡ        発展型ＵＴＲＡ
Ｅ−ＵＴＲＡＮ      発展型ＵＴＲＡＮ
ＦＤＤ              周波数分割デュプレックス
ＦＦＳ              未解決課題
ＧＥＲＡＮ          ＧＳＭ  ＥＤＧＥ無線アクセス・ネットワーク
ｇＮＢ              ＮＲの基地局
ＧＮＳＳ            全球航法衛星システム
ＧＳＭ              グローバル移動通信システム
ＨＡＲＱ            ハイブリッド自動再送要求
ＨＯ                ハンドオーバ
ＨＳＰＡ            高速パケット・アクセス
ＨＲＰＤ            高速パケット・データ
ＬＯＳ              視線
ＬＰＰ              ＬＴＥ測位プロトコル
ＬＴＥ              ロング・ターム・エボリューション
ＭＡＣ              媒体アクセス制御
ＭＢＭＳ            マルチメディア・ブロードキャスト・マルチキャスト・サービス
ＭＢＳＦＮ          マルチメディア・ブロードキャスト・マルチキャスト・サービス単一周波数ネットワーク
ＭＢＳＦＮ  ＡＢＳ  ＭＢＳＦＮオールモスト・ブランク・サブフレーム
ＭＤＴ              ドライブ・テストの最小化
ＭＩＢ              マスタ情報ブロック
ＭＭＥ              モビリティ管理エンティティ
ＭＳＣ              移動交換センタ
ＮＰＤＣＣＨ        狭帯域物理ダウンリンク制御チャネル
ＮＲ                ニュー・ラジオ
ＯＣＮＧ            ＯＦＤＭＡチャネル雑音ジェネレータ
ＯＦＤＭ            直交周波数多重方式
ＯＦＤＭＡ          直交周波数分割多元接続
ＯＳＳ              運用支援システム
ＯＴＤＯＡ          観測された到達時間差
Ｏ＆Ｍ              運用・保守
ＰＢＣＨ            物理ブロードキャスト・チャネル
Ｐ−ＣＣＰＣＨ      プライマリ共通制御物理チャネル
ＰＣｅｌｌ          プライマリ・セル
ＰＣＦＩＣＨ        物理制御フォーマット・インジケータ・チャネル
ＰＤＣＣＨ          物理ダウンリンク制御チャネル
ＰＤＰ              プロファイル遅延プロファイル
ＰＤＳＣＨ          物理ダウンリンク共有チャネル
ＰＧＷ              パケット・ゲートウェイ
ＰＨＩＣＨ          物理ハイブリッド−ＡＲＱインジケータ・チャネル
ＰＬＭＮ            公衆地上移動通信網
ＰＭＩ              プリコーダ行列インジケータ
ＰＲＡＣＨ          物理ランダム・アクセス・チャネル
ＰＲＳ              測位基準信号
ＰＳＳ              プライマリ同期信号
ＰＵＣＣＨ          物理アップリンク制御チャネル
ＰＵＳＣＨ          物理アップリンク共有チャネル
ＲＡＣＨ            ランダム・アクセス・チャネル
ＱＡＭ              直交振幅変調
ＲＡＮ              無線アクセス・ネットワーク
ＲＡＴ              無線アクセス技術
ＲＬＭ              無線リンク管理
ＲＮＣ              ワイヤレス・ネットワークコントローラ
ＲＮＴＩ            ワイヤレス・ネットワーク一時識別情報
ＲＲＣ              無線リソース制御
ＲＲＭ              無線リソース管理
ＲＳ                基準信号
ＲＳＣＰ            受信信号コード電力
ＲＳＲＰ            基準シンボル受信電力又は基準信号受信電力
ＲＳＲＱ            基準信号受信品質又は基準シンボル受信品質
ＲＳＳＩ            受信信号強度インジケータ
ＲＳＴＤ            基準信号時間差
ＳＣＨ              同期チャネル
ＳＣｅｌｌ          セカンダリ・セル
ＳＤＵ              サービス・データ・ユニット
ＳＦＮ              システム・フレーム番号
ＳＧＷ              サービング・ゲートウェイ
ＳＩ                システム情報
ＳＩＢ              システム情報ブロック
ＳＮＲ              信号対雑音比
ＳＯＮ              自己最適化ネットワーク
ＳＳ                同期信号
ＳＳＳ              セカンダリ同期信号
ＴＤＤ              時分割デュプレックス
ＴＤＯＡ            到達時間差
ＴＯＡ              到達タイミング
ＴＳＳ              ターシャリ同期信号
ＴＴＩ              送信時間間隔
ＵＥ                ユーザ機器
ＵＬ                アップリンク
ＵＭＴＳ            ユニバーサル・モバイル・テレコミュニケーション・システム
ＵＳＩＭ            ユニバーサル加入者識別モジュール
ＵＴＤＯＡ          アップリンク到達時間差
ＵＴＲＡ            ユニバーサル地上無線アクセス
ＵＴＲＡＮ          ユニバーサル地上無線アクセス・ネットワーク
ＷＣＤＭＡ          ワイドＣＤＭＡ
ＷＬＡＮ            広域ローカル・エリア・ネットワークＬＡＮ
【図１】
2022502900.tif 000010
【図２】
2022502900.tif 000011
【図３】
2022502900.tif 000012
【図４】
2022502900.tif 000013
【図５】
2022502900.tif 000014
【図６】
2022502900.tif 000015
【図７】
2022502900.tif 000016
【図８】
2022502900.tif 000017
【図９】
2022502900.tif 000018
【図１０】
2022502900.tif 000019
【図１１】
2022502900.tif 000020
【図１２】
2022502900.tif 000021
【図１３】
2022502900.tif 000022
【図１４】
2022502900.tif 000023
【図１５】
2022502900.tif 000024
【図１６】
2022502900.tif 000025
【図１７】
2022502900.tif 000026
【図１８】
2022502900.tif 000027
【図１９】
2022502900.tif 000028
【図２０】
2022502900.tif 000029
【図２１】
2022502900.tif 000030
【図２２】
2022502900.tif 000031
【図２３】
2022502900.tif 000032
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
第１ワイヤレス・デバイスによって実行される方法であって、
ネットワーク・ノードから、前記ワイヤレス・デバイスが予約リソースとして扱うべき少なくとも１つの周期的なアップリンク・リソースのインジケーションと、前記予約リソースの周期性と、を含む集約アップリンク情報を受信することと、
前記集約アップリンク情報に基づいてアップリンク送信を構成することと、を有する、方法。
【請求項２】
請求項１に記載の方法であって、前記アップリンク送信を構成することは、前記アップリンク送信について、前記予約リソースを含まないアップリンク・リソースの集合を利用することを含む、方法。
【請求項３】
請求項１又は２に記載の方法であって、前記アップリンク送信を構成することは、
前記予約リソースを利用するようにスケジュールされている前記アップリンク送信の部分を削除することを含む、方法。
【請求項４】
請求項１に記載の方法であって、前記アップリンク送信を構成することは、
前記第１ワイヤレス・デバイスに割り当てられる前記集約アップリンク情報に含まれるアップリンク・リソースを識別することと、
前記アップリンク送信について、前記識別されたアップリンク・リソースと、前記集約アップリンク情報に含まれないアップリンク・リソースと、のうちの少なくとも１つを利用することと、を含む、方法。
【請求項５】
請求項１乃至４のいずれか１項に記載の方法であって、前記ワイヤレス・デバイスが予約リソースとして扱うべき少なくとも１つのアップリンク・リソースの前記インジケーションは、時間領域リソース割り当てと、周波数領域リソース割り当てと、のいずれか一方のインジケーションを含む、方法。
【請求項６】
ネットワーク・ノードによって実行される方法であって、
２つ以上の第１ユーザ機器（ＵＥ）についてのアップリンク・グラント・フリー（ＧＦ）構成を取得することと、
前記第１ＵＥに割り当てられる少なくとも１つの周期的なアップリンク・リソースのインジケーションと、前記少なくとも１つの周期的なアップリンク・リソースの周期性と、を含む集約アップリンク情報を形成するために、前記アップリンク・グラント・フリー（ＧＦ）構成を集約することと、
前記集約アップリンク情報を送信することと、を有する、方法。
【請求項７】
請求項６に記載の方法であって、少なくとも１つの周期的なアップリンク・リソースの前記インジケーションは、各第１ＵＥについて、時間領域リソース割り当てと、周波数領域リソース割り当てと、のいずれか一方のインジケーションを含む、方法。
【請求項８】
請求項６又は７に記載の方法であって、前記アップリンク・グラント・フリー（ＧＦ）構成を集約することは、
所定の基準に従って、前記アップリンク・グラント・フリー（ＧＦ）構成をソートすることを含む、方法。
【請求項９】
請求項６に記載の方法であって、前記集約アップリンク構成を送信することは、
前記ネットワーク・ノードによってサービスされるセル内で前記集約アップリンク情報をブロードキャストすることと、
前記第１ＵＥを含むＵＥのグループへ前記集約アップリンク情報をマルチキャストすることと、
個別のＵＥへ前記集約アップリンク構成を送信することと、の任意の１つ以上を含む、方法。
【請求項１０】
請求項６乃至９のいずれか１項に記載の方法であって、前記少なくとも１つの周期的なアップリンク・リソースは、超高信頼低遅延通信送信のために予約される、方法。
【請求項１１】
請求項６乃至１０のいずれか１項に記載の方法であって、前記第１及び第２ＵＥのそれぞれは、ＵＲＬＬＣ送信可能である、方法。
【請求項１２】
第１ワイヤレス・デバイスであって、
ネットワーク・ノードから、前記ワイヤレス・デバイスが予約リソースとして扱うべき少なくとも１つの周期的なアップリンク・リソースのインジケーションと、前記予約リソースの周期性と、を含む集約アップリンク情報を受信することと、
前記集約アップリンク情報に基づいてアップリンク送信を構成することと、を行うように構成される、第１ワイヤレス・デバイス。
【請求項１３】
ネットワーク・ノードであって、
２つ以上の第１ユーザ機器（ＵＥ）についてのアップリンク・グラント・フリー（ＧＦ）構成を取得することと、
前記第１ＵＥに割り当てられる少なくとも１つの周期的なアップリンク・リソースのインジケーションと、前記少なくとも１つの周期的なアップリンク・リソースの周期性と、を含む集約アップリンク情報を形成するために、前記アップリンク・グラント・フリー（ＧＦ）構成を集約することと、
前記集約アップリンク情報を送信することと、を行うように構成される、ネットワーク・ノード。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
第１ワイヤレス・デバイスによって実行される方法であって、
ネットワーク・ノードから、２つ以上の第１ユーザ機器（ＵＥ）についてのアップリンク・グラント・フリー（ＧＦ）構成に関連する集約アップリンク情報を受信すること（１８０２）であって、前記集約アップリンク情報は、少なくとも１つの周期的なアップリンク・リソースのインジケーションと、前記ワイヤレス・デバイスが予約リソースとして扱うべき、前記２つ以上の第１ＵＥに割り当てられた前記少なくとも１つの周期的なアップリンク・リソースの周期性と、を含む、こと（１８０２）と、
前記集約アップリンク情報に基づいてアップリンク送信を構成すること（１８０４）と、を有する、方法。
【請求項２】
請求項１に記載の方法であって、前記集約アップリンク情報に基づいて前記アップリンク送信を構成することは、前記アップリンク送信について、アップリンク・リソースの集合を利用することであって、アップリンク・リソースの前記集合は、前記予約リソースを含まない、ことを含む、方法。
【請求項３】
請求項１又は２に記載の方法であって、前記集約アップリンク情報に基づいて前記アップリンク送信を構成することは、
前記予約リソースを利用するようにスケジュールされている前記アップリンク送信の部分を識別することと、
前記アップリンク送信の前記識別された部分を削除することと、を含む、方法。
【請求項４】
請求項１に記載の方法であって、前記２つ以上の第１ＵＥは、前記第１ワイヤレス・デバイスを含み、前記集約アップリンク情報に基づいて前記アップリンク送信を構成することは、
前記第１ワイヤレス・デバイスに割り当てられる前記集約アップリンク情報に示される周期的なアップリンク・リソースの集合を識別することと、
前記アップリンク送信について、前記第１ワイヤレス・デバイスに割り当てられる周期的なアップリンク・リソースの前記識別された集合を利用することと、を含む、方法。
【請求項５】
請求項１乃至４のいずれか１項に記載の方法であって、前記ワイヤレス・デバイスが予約リソースとして扱うべき少なくとも１つの周期的なアップリンク・リソースの前記インジケーションは、前記周期性と、構成された反復の数と、時間領域リソース割り当てと、周波数領域リソース割り当てと、の少なくとの１つのインジケーションを含む、方法。
【請求項６】
ネットワーク・ノードによって実行される方法であって、
２つ以上の第１ユーザ機器（ＵＥ）についてのアップリンク・グラント・フリー（ＧＦ）構成を取得すること（２００２）と、
少なくとも１つの周期的なアップリンク・リソースのインジケーションと、前記２つ以上の第１ＵＥに割り当てられた前記少なくとも１つの周期的なアップリンク・リソースの周期性と、を含む集約アップリンク情報を形成するために、前記アップリンクＧＦ構成を集約すること（２００４）と、
前記集約アップリンク情報を送信すること（２００６）と、を有する、方法。
【請求項７】
請求項６に記載の方法であって、前記アップリンクＧＦ構成のそれぞれは、前記周期性と、構成された反復の数と、時間領域リソース割り当てと、周波数領域リソース割り当てと、の少なくとの１つを示す１つ以上のパラメータを含む、方法。
【請求項８】
請求項６又は７に記載の方法であって、前記アップリンクＧＦ構成を集約することは、
所定の基準に従って、前記アップリンクＧＦ構成をソートすることを含む、方法。
【請求項９】
請求項６乃至８のいずれか１項に記載の方法であって、前記集約アップリンク情報を送信することは、
前記ネットワーク・ノードによってサービスされるセル内で前記集約アップリンク情報をブロードキャストすることと、
ＵＥのグループへ前記集約アップリンク情報をマルチキャストすることと、
個別のＵＥへ前記集約アップリンク情報を送信することと、の任意の１つ以上を含む、方法。
【請求項１０】
請求項６乃至９のいずれか１項に記載の方法であって、前記アップリンクＧＦ構成は、超高信頼低遅延通信（ＵＲＬＬＣ）送信のために割り当てられる、方法。
【請求項１１】
請求項６乃至１０のいずれか１項に記載の方法であって、前記２つ以上の第１ＵＥのそれぞれは、ＵＲＬＬＣ送信可能である、方法。
【請求項１２】
第１ワイヤレス・デバイスであって、
ネットワーク・ノードから、２つ以上の第１ユーザ機器（ＵＥ）についてのアップリンク・グラント・フリー（ＧＦ）構成に関連する集約アップリンク情報を受信すること（１８０２）であって、前記集約アップリンク情報は、少なくとも１つの周期的なアップリンク・リソースのインジケーションと、前記ワイヤレス・デバイスが予約リソースとして扱うべき、前記２つ以上の第１ＵＥに割り当てられた前記少なくとも１つの周期的なアップリンク・リソースの周期性と、を含む、こと（１８０２）と、
前記集約アップリンク情報に基づいてアップリンク送信を構成すること（１８０４）と、を行うように構成される、第１ワイヤレス・デバイス。
【請求項１３】
ネットワーク・ノードであって、
２つ以上の第１ユーザ機器（ＵＥ）についてのアップリンク・グラント・フリー（ＧＦ）構成を取得すること（２００２）と、
少なくとも１つの周期的なアップリンク・リソースのインジケーションと、前記２つ以上の第１ＵＥに割り当てられた前記少なくとも１つの周期的なアップリンク・リソースの周期性と、を含む集約アップリンク情報を形成するために、前記アップリンクＧＦ構成を集約すること（２００４）と、
前記集約アップリンク情報を送信すること（２００６）と、を行うように構成される、ネットワーク・ノード。
【国際調査報告】
2022502900.tif 000033
2022502900.tif 000034
2022502900.tif 000035
2022502900.tif 000036